(57)【要約】  薬剤分配容器は、間にキャビティを規定する第１の壁と第２の壁とを含む。少なくとも１つの部材が壁の少なくとも１つに接続され、キャビティ内において配置可能である。少なくとも１つの部材は、少なくとも１つの投薬の少なくとも１つの服用物の配置のために構成された少なくとも１つの服用物レセプタクルを規定する。少なくとも１つの部材は、少なくとも１つの投薬を含む投薬計画に関する印を含む。壁は、投薬アクセス可能な構成と不正開封防止構成との間で可動である。システムおよび使用方法が開示される。
2017527362.tif 000002
【特許請求の範囲】
【請求項１】
薬剤分配容器であって、
間にキャビティを規定する第１の壁および第２の壁と、
前記壁の少なくとも１つに接続され、前記キャビティにおいて配置可能な少なくとも１つの部材とを備え、前記少なくとも１つの部材は少なくとも１つの投薬の少なくとも１つの服用物の配置のために構成された少なくとも１つの服用物レセプタクルを規定し、前記少なくとも１つの部材は、前記少なくとも１つの投薬を含む投薬計画に関係する印を含み、
前記壁は、投薬アクセス可能な構成と不正開封防止構成との間で可動である、薬剤分配容器。
【請求項２】
前記第１の壁および前記第２の壁を前記不正開封防止構成で固定するためのロックをさらに備える、請求項１に記載の薬剤分配容器。
【請求項３】
前記ロックは、前記第１の壁で配置された開口部と、前記第２の壁上に配置されたタブとを含み、前記タブは、前記開口部と係合するように構成される、請求項２に記載の薬剤分配容器。
【請求項４】
前記タブは、前記開口部と係合するように弾性的に付勢される、請求項３に記載の薬剤分配容器。
【請求項５】
前記ロックは、前記投薬アクセス可能な構成と前記不正開封防止構成との間で可動なスライドを含む、請求項２に記載の薬剤分配容器。
【請求項６】
前記第１の壁および／または前記第２の壁に配置され、前記投薬アクセス可能な構成と前記不正開封防止構成との間で前記第１の壁および前記第２の壁を移動させるための情報を提供する印をさらに備える、請求項１に記載の薬剤分配容器。
【請求項７】
前記ロックは、前記不正開封防止構成に移動されるとき可聴インジケータを含む、請求項２に記載の薬剤分配容器。
【請求項８】
前記第１の壁および前記第２の壁は背部に接続されている、請求項１に記載の薬剤分配容器。
【請求項９】
前記背部は、前記少なくとも１つの部材を接続するように構成されたバインダーリングを含む、請求項８に記載の薬剤分配容器。
【請求項１０】
前記少なくとも１つの部材は、１つ以上の投薬を含む単位服用物ページを含む、請求項１に記載の薬剤分配容器。
【請求項１１】
情報インサートをさらに備える、請求項１に記載の薬剤分配容器。
【請求項１２】
複数の薬剤分配容器の配置のために構成されたレセプタクルをさらに備える、請求項１に記載の薬剤分配容器。
【請求項１３】
前記レセプタクルは整理部を含む、請求項１２に記載の薬剤分配容器。
【請求項１４】
前記レセプタクルは、複数の前記薬剤分配容器を配置するように構成された複数の区画を含む、請求項１２に記載の薬剤分配容器。
【請求項１５】
前記レセプタクルはハンドルを含む、請求項１３に記載の薬剤分配容器。
【請求項１６】
投薬パッケージングシステムであって、
間にキャビティを規定する第１の壁および第２の壁と、投薬を含み、前記壁の少なくとも１つに接続され、前記キャビティ内において配置可能である、少なくとも１つの服用物ページとを含む少なくとも１つの薬剤分配容器を備え、前記壁は、投薬アクセス可能な構成と不正開封防止構成との間で可動であり、前記投薬パッケージングシステムはさらに、
前記少なくとも１つの薬剤分配容器を配置するように構成された区画を含む整理部を備える、投薬パッケージングシステム。
【請求項１７】
前記整理部は、複数の区画を含む、請求項１６に記載の投薬パッケージングシステム。
【請求項１８】
前記整理部は、複数の前記薬剤分配容器を積層するように構成される、請求項１６に記載の投薬パッケージングシステム。
【請求項１９】
前記整理部は、カバーを含む、請求項１６に記載の投薬パッケージングシステム。
【請求項２０】
退院した患者のための医療コンプライアンス方法であって、
患者の病気を治療することと；
病気の治療ために医学療法を再検討することとを含み、前記医学療法は、少なくとも１つの投薬の少なくとも１つの服用物を含む医療計画を含み、前記方法はさらに、
レセプタクル内に配置された複数の薬剤分配容器を提供することを含み、前記薬剤分配容器は、間にキャビティを規定する第１の壁および第２の壁と、前記壁の少なくとも１つに接続され、前記キャビティにおいて配置可能な少なくとも１つの部材とを備え、前記少なくとも１つの部材は前記少なくとも１つの服用物の配置のために構成された少なくとも１つの区画を規定し、前記少なくとも１つの部材は、前記投薬計画に関係する印を含み、前記壁は、投薬アクセス可能な構成と不正開封防止構成との間で可動である、退院した患者のための医療コンプライアンス方法。
【発明の詳細な説明】
【技術分野】
【０００１】
関連出願との相互参照
本出願は、２０１４年８月１９日に出願された米国仮特許出願第６２／０３９，１４４号、２０１４年８月１９日に出願された米国仮特許出願第６２／０３９，１５２号および２０１４年８月１９日に出願された米国仮特許出願第６２／０３９，２０１号の利益を主張し、これらの出願の各々の内容は、参照によりそれらのそれぞれの全体が本明細書に組み込まれる。
【背景技術】
【０００２】
技術分野
本開示は、概して、薬剤パッケージングに関し、より詳細には、投薬計画および／または不正開封防止性を提供する分配装置およびシステム、ならびに病状の治療方法に関する。
【０００３】
背景
小売顧客および／または患者は、病気を治療するために使用され得る食事療法、運動および／または処方箋および／または非処方投薬服用計画を含み得る医学療法に関わり得る。いくつかのケースでは、入院患者は退院し、１人または複数の医師が医学療法に従うよう指示することが多い。
【０００４】
そのような投薬服用計画は、１つ以上の投薬を含み得る計画にわたって投与される１つまたは複数の投薬を含み得る。投薬服用計画は、同時に、異なる時間に、および／または曜日もしくは時間に応じて投薬の投与を必要とする可能性がある。そのような投薬計画は、ユーザが栄養面、治療面および／または疾病面での治療のために取り得る既存の投薬計画に加えて投与することができる。
【０００５】
しかしながら、このような投薬計画は、患者の服用遵守が不良であることが多い。実際、多くの患者が投薬計画に従わない。いくつかのケースでは、生活様式に関連する投薬も、ユーザの低い服用遵守に悩まされる可能性がある。非服用遵守に寄与する要因には、投薬計画の複雑さ、処方箋記入における患者のミス、誤った注文および／または処方、費用、有害な副作用、患者の抵抗、動機の欠如、既存の投薬との不調和、および／または患者の生理的な問題があり得る。
【発明の概要】
【発明が解決しようとする課題】
【０００６】
投薬計画の様々な投薬は、単回服用および／または複数回服用ブリスターパッケージングのような投薬容器から、不正開封防止性を有するかまたは有しない状態でユーザに分配投薬することができる。複数回服用ブリスターパッケージングは、日、たとえば、月曜日、火曜日など、および／または時間を含む計画に従って、単一の投薬を分配することができる。本開示は、これらの先行技術に対する改良を記載する。
【課題を解決するための手段】
【０００７】
概要
一実施形態では、薬剤分配容器は、間にキャビティを規定する第１の壁と第２の壁とを含む。少なくとも１つの部材が壁の少なくとも１つに接続され、キャビティ内において配置可能である。少なくとも１つの部材は、少なくとも１つの投薬の少なくとも１つの服用物の配置のために構成された少なくとも１つの服用物レセプタクルを規定する。少なくとも１つの部材は、少なくとも１つの投薬を含む投薬計画に関する印を含む。壁は、投薬アクセス可能な構成と不正開封防止構成との間で可動である。システムおよび使用方法が開示される。
【０００８】
図面の簡単な説明
本開示は、以下の図面を伴う特定の説明からより容易に明らかになるであろう。
【図面の簡単な説明】
【０００９】
【図１】本開示の原理によるシステムの一実施形態の構成要素の斜視図である。
【図２】図１に示す構成要素の斜視図である。
【図３】図１に示す構成要素の斜視図である。
【図４】本開示の原理によるシステムの一実施形態の構成要素の斜視図である。
【図５】図４に示すシステムの構成要素の斜視図である。
【図６】図４に示すシステムの構成要素の平面図である。
【図７】本開示の原理によるシステムの一実施形態の構成要素の平面図である。
【図８】本開示の原理によるシステムの一実施形態の構成要素の平面図である。
【図９】本開示の原理によるシステムの一実施形態の構成要素の斜視図である。
【図１０】本開示の原理によるシステムの一実施形態の構成要素の斜視図である。
【図１１】図１０に示す構成要素の斜視図である。
【図１２】図１０に示す構成要素の斜視図である。
【図１３】本開示の原理によるシステムの一実施形態の構成要素の斜視図である。
【図１４】本開示の原理によるシステムの一実施形態の構成要素の斜視図である。
【図１５】図１４に示すシステムの構成要素の斜視図である。
【図１６】図１４に示すシステムの構成要素の斜視図である。
【図１７】図１４に示すシステムの構成要素の斜視図である。
【図１８】図１４に示すシステムの構成要素の斜視図である。
【図１９】図１４に示すシステムの構成要素の斜視図である。
【図２０】図１４に示すシステムの構成要素の斜視図である。
【図２１】図１４に示すシステムの構成要素の斜視図である。
【図２２】本開示の原理によるシステムの一実施形態の構成要素の斜視図である。
【図２３】本開示の原理によるシステムの一実施形態の構成要素の斜視図である。
【図２４】本開示の原理によるシステムの一実施形態の構成要素の斜視図である。
【図２５】図２３に示すシステムの構成要素の斜視図である。
【図２６】図２３に示すシステムの構成要素の斜視図である。
【図２７】本開示の原理によるシステムの一実施形態の構成要素の斜視図である。
【図２８】本開示の原理によるシステムの一実施形態の構成要素の斜視図である。
【図２９】本開示の原理によるシステムの一実施形態の構成要素の斜視図である。
【図３０】本開示の原理によるシステムの一実施形態の構成要素の斜視図である。
【図３１】本開示の原理によるシステムの一実施形態の構成要素の斜視図である。
【図３２】本開示の原理によるシステムの一実施形態の構成要素の斜視図である。
【図３３】本開示の原理によるシステムの一実施形態の構成要素の斜視図である。
【図３４】本開示の原理によるシステムの一実施形態の構成要素の斜視図である。
【図３５】本開示の原理によるシステムの一実施形態の構成要素の斜視図である。
【図３６】本開示の原理によるシステムの一実施形態の構成要素の斜視図である。
【図３７】図３６に示すシステムの構成要素の斜視図である。
【図３８】本開示の原理によるシステムの一実施形態の構成要素の斜視図である。
【図３９】本開示の原理によるシステムの一実施形態の構成要素の斜視図である。
【図４０】図３９に示された構成要素の側面図である。
【図４１】図３９に示された構成要素の側面図である。
【図４２】本開示の原理によるシステムの一実施形態の構成要素の斜視図である。
【図４３】図４２に示すシステムの構成要素の側面図である。
【図４４】本開示の原理によるシステムの一実施形態の構成要素の斜視図である。
【図４５】図４４に示すシステムの構成要素の側面図である。
【図４６】図４４に示すシステムの構成要素の側面図である。
【図４７】本開示の原理によるシステムの一実施形態の構成要素の斜視図である。
【図４８】本開示の原理によるシステムの一実施形態の構成要素の斜視図である。
【図４９】本開示の原理によるシステムの一実施形態の構成要素の斜視図である。
【図５０】本開示の原理によるシステムの一実施形態の構成要素の斜視図である。
【図５１】図５０に示すシステムの構成要素の斜視図である。
【図５２】図５０に示すシステムの構成要素の斜視図である。
【発明を実施するための形態】
【００１０】
詳細な説明
開示された薬剤分配システムおよび関連する使用方法の例示的な実施形態は、様々な疾病、病気および／または疾患の治療のための分配装置の観点から、より詳細には、投薬計画および／または不正開封防止性を提供する薬剤分配装置およびシステムならびに病状の治療方法を提供する。いくつかの実施形態では、薬剤分配システムは、１つ以上の疾病、病気および／または疾患の治療のために、患者への投薬パッケージングの分配方法とともに使用される。いくつかの実施形態では、薬剤分配システムは、患者がたとえば短期間の退院および／または長期の退院など、医療施設から退院するような方法で使用される。
【００１１】
一実施形態では、薬剤分配システムは、患者が、たとえば、心筋梗塞など１つ以上の疾病、病気および／または疾患の後に病院などの医療施設から退院し、１つまたは複数の投薬を処方され得るような方法で使用される。いくつかの実施形態では、患者は、たとえば、抗血小板薬、アスピリン、ベータ遮断薬、ＡＣＥ阻害薬、ＡＲＢスタチン、ニトログリセリン、ドキュセートおよび／または抗うつ剤などの投薬を指示および／または処方され得る。いくつかの実施形態では、薬剤分配システムは、患者がそのような計画を遵守しないこと、および／または処方もしくは指示された薬を服用しないことを回避するために使用される。いくつかの実施形態では、服薬遵守の失敗には、患者が処方を補充しないこと、処方された投薬の服用を忘れること、不完全な服用量および／または誤った時間に投薬を服用することが含まれる。いくつかの実施形態では、薬剤分配システムは、長期服用のための方法、たとえば、３０日のスクリプトまたは９０〜１００日の通販レフィルと共に使用される。いくつかの実施形態では、薬剤分配システムは、服用遵守を容易にする方法と共に使用される。いくつかの実施形態では、薬剤分配システムは、服用遵守を表示および／または証明する方法とともに使用される。たとえば、医療従事者の予約で往診する患者は、たとえば服用遵守パックなどの本システムを提供し、服用遵守パックの医療従事者による使用を表示および／または示すが、これには、本明細書に記載の通り、服用遵守を証明すべく１つまたは複数のブリスターパックの断裂が含まれ得る。いくつかの実施形態では、薬剤分配システムは、たとえば、肺炎、心不全、疼痛、感染症などの１つ以上の疾病、病気および／または疾患の治療のために、患者への投薬パッケージングの分配方法と共に使用され、それは、ＨＩＶ／エイズの治療のための抗レトロウイルス（ＡＲＶ）、高脂血症（高コレステロール）、高血圧症（高血圧）、糖尿病に関連するメタボリックシンドローム／インスリン不耐性、心理的疾患、および／または移植／拒絶反応抑制剤の投与を含み得る。
【００１２】
いくつかの実施形態では、薬剤分配システムは、病状の治療のための投薬の保管、輸送および放出のための薬剤分配システムならびに使用方法を含む。いくつかの実施形態では、薬剤分配システムは、たとえば、高血圧、脂質異常症（高コレステロール）、糖尿病、メタボリックシンドローム、心不全、肺炎、心臓欠陥、関節炎、疼痛が進行中の治療計画の一部である病気などのような病気を治療するためのものを含む投薬、および／または生活様式関連投薬、たとえば避妊薬、ホルモン補充薬および栄養補給剤、たとえばビタミンＡ、Ｄ、およびＥをカルシウム補給剤と共に有する栄養補助食品などの、保管、輸送および放出のための薬剤分配システムならびに使用方法を含む。いくつかの実施形態では、本方法は、心筋梗塞後の心臓病の治療を含む。一実施形態では、本開示の薬剤分配システムおよび方法は、計画の一部として複数の丸薬、服用物またはスケジュールの投与を必要とする病状の人を助けるために使用される。一実施形態では、本開示の薬剤分配システムおよび方法は、大人が容易にアクセスできる一方で、たとえば幼児に対する防止などの不正開封防止性を提供する薬剤分配装置を含む。
【００１３】
一実施形態では、投薬容器は、ブリスターカード上に複数の投薬を含むことができる。一実施形態では、薬剤分配システムは、たとえば２週間のような期間の間、投薬のための複雑な服用計画を提供する。いくつかの実施形態では、１つ以上のブリスターカードが、製造業者から、本明細書に記載されているように、投薬を予め充填されて提供される。いくつかの実施形態では、医療従事者、たとえば薬剤師は、医師の処方に基づいて予め充填されたブリスターカードの１つまたは複数を決定して選択し、投薬容器を作成する。いくつかの実施形態では、製造業者は、医師の処方に従って、選択されたブリスターカードおよび予め充填された投薬がパックされた投薬容器を提供する。いくつかの実施形態では、投薬の複雑な服用計画は、患者の病院からの退院後の最初の外来患者としての通院まで続く期間にわたって提供される。一実施形態では、１つ以上の投薬が薬剤分配システムに含まれる。一実施形態では、医療処置に続いて患者に処方される投薬が、薬剤分配システムに含まれる。一実施形態では、患者によって以前に服用されていた投薬が薬剤分配システムに含まれる。
【００１４】
一実施形態では、投薬容器は、たとえば、第１週および第２週などの２つの小さな整理部を含む。一実施形態では、各整理部は、１週間の治療を含む３つの部分からなる薬物カードを含む。一実施形態では、整理部は、たとえば、プッシュアンドスライド構成で構成された整理部の外側にある２つの白色プラスチック片のような幼児用の防止ロックを含む。
【００１５】
一実施形態では、投薬容器は、パンチカードを充填された単純な幼児防止用の非折り畳み可能なボックスを含む。一実施形態では、投薬容器は、薬剤師のブリスターの挿入片および封止カードを含む。一実施形態では、投薬容器は、週および／または日ごとに薬を編成する。一実施形態では、投薬容器は、より単純なユーザインタフェースを含む。一実施形態では、投薬容器は、薬の服用遵守を容易に追跡するシステムを含む。一実施形態では、投薬容器は、コストを低減するために最小限の材料で製造される。一実施形態では、投薬容器は、様々な教育用材料および／またはブリスターカードを含むように構成されている。
【００１６】
一実施形態では、薬剤分配システムは、たとえば２週間のような期間の間、投薬のための複雑な服用計画を提供する。いくつかの実施形態では、投薬の複雑な服用計画は、患者の病院からの退院後の最初の外来患者としての通院まで続く期間にわたって提供される。一実施形態では、１つ以上の投薬が薬剤分配システムに含まれる。一実施形態では、医療処置に続いて患者に処方される投薬が、薬剤分配システムに含まれる。一実施形態では、患者によって以前に服用されていた投薬が薬剤分配システムに含まれる。
【００１７】
いくつかの実施形態では、薬剤分配システムは、１つ以上の投薬を含む投薬パッケージングを含む。いくつかの実施形態では、投薬パッケージングは、たとえば、印を含む単位服用物ページなどの部材を含む。いくつかの実施形態では、印は、処方されたおよび／または処方されていない計画によって必要とされる投薬および服用量に関する情報を含む。いくつかの実施形態では、印には、投薬の説明を含み、それは薬物の名称および薬物の医学的効果を含んでもよい。一実施形態では、単位服用物ページは、必要に応じて患者に対応するための他の投薬または服用量を表す印を含むことができる。一実施形態では、単位服用物ページは、必要に応じて患者に対応するために他の投薬または服用量を表す印を追加するためのスペースを含むことができる。一実施形態では、印は単位服用物ページにスクリーン印刷される。一実施形態では、印は単位服用物ページに手書きで書かれている。
【００１８】
いくつかの実施形態では、薬剤分配システムは、部分的にまたは全体的に薬剤師によって充填され、パッケージングされる。いくつかの実施形態では、薬剤分配システムは、たとえば、厚紙のような弾性材料を含む。いくつかの実施形態では、薬剤分配システムは、大人によって容易にアクセス可能である一方で、幼児に対して防止性があるパッケージを提供する。いくつかの実施形態では、薬剤分配システム内の投薬にアクセスするための方法が提供される。いくつかの実施形態では、この方法は、大人が実行するのは簡単であるが幼児が実行するのは困難な連続的および／または同時の動作を要求するステップを含む。一実施形態では、投薬パッケージングは、摺動可能なロッキング機構を備える。いくつかの実施形態では、ロッキング機構は、ロックされない位置とロックされた位置との間で可動である。いくつかの実施形態では、ロッキング機構は、ロックされない位置とロックされた位置との間の移動の可聴指示を提供する。
【００１９】
一実施形態では、薬剤分配システムは、複数の投薬を含む投薬治療計画を含む。一実施形態では、薬剤分配システムは、患者の治療計画における各投薬の体系化を提供する。一実施形態では、計画における各別個の投薬は、薬剤パッケージング容器に収容された別々の単位服用物ページに収納される。一実施形態では、薬剤分配システムは、各単位服用物ページに提供される１４日間の治療を含む方法と共に使用される。一実施形態では、投薬パッケージングは、薬剤師によって組み立てられ、充填され、封止される１つ以上の単位服用物ページを含む。一実施形態では、薬剤パッケージング容器は幼児に対して防止性があり、単位服用物ページは幼児に対して防止性はない。
【００２０】
本開示は、本開示の一部を形成する添付図面に関連して行われる実施形態の以下の詳細な説明を参照することによって、より容易に理解され得る。本出願は、本明細書に記載および／または示される特定のデバイス、方法、条件またはパラメータに限定されず、本明細書で使用される用語は、特定の実施形態を例として説明する目的のみのものであり、限定しようとするものではないことが理解される。いくつかの実施形態では、明細書において用いられ、および特許請求の範囲を含むように、単数形「ａ」、「ａｎ」および「ｔｈｅ」には複数形が含まれ、特定の数値への言及は、文脈が明らかに他の態様で指示しなければ、少なくともその特定の値を含む。範囲は、本明細書においては、「約」または「およそ」の１つの特定の値から、および／または「約」または「およそ」の別の特定の値までとして表現され得る。そのような範囲が表される場合、別の実施形態は、１つの特定の値から、および／または他の特定の値までを含む。同様に、値が近似値として表現される場合、先行する「約」の使用により、特定の値が別の実施形態を形成することが理解される。また、たとえば、水平、垂直、頂部、上側、下側、底部、左及び右のような全ての空間的参照は、説明目的のみのためであり、本開示の範囲内で変更可能であることも理解される。たとえば、「上側」および「下側」という言及は、相対的であり、他のものとの文脈においてのみ使用され、必ずしも「上位」および「下位」というわけではない。
【００２１】
本明細書で使用され、特許請求の範囲を含むように、疾病または病状「を治療する」または「の治療」は、患者（ヒトまたは他の哺乳動物）に１つ以上の投薬を投与することを含み得る。緩和は、疾病もしくは病状の徴候または症状が現れた後だけでなく、それらが現れる前にも起こり得る。したがって、治療することまたは治療には、疾病または望ましくない病状を予防することまたはその予防が含まれる（たとえば、疾病の素因があり得るがまだそれを有すると診断されていない患者において疾病が起こるのを防止する）。さらに、治療することまたは治療は、徴候または症状の完全な緩和を必要とせず、治癒を必要とせず、具体的には、患者に僅かな影響しか及ぼさない処置を含む。治療には、疾病の進行を阻止するなどの疾病の抑制、または疾病の緩和、たとえば疾病の退行を含むことができる。たとえば、治療には、急性または慢性の炎症の軽減、抗血小板効果の誘導、高血圧の低減、およびコレステロールの低下が含まれるが、これらに限定されない。
【００２２】
いくつかの実施形態では、生理活性物質は、活性治療物質、代謝産物、ホルモン、ステロイド、ビタミン、脂肪酸、アミノ酸、糖、炭水化物、ポリペプチドまたはミネラルを含む薬剤、投薬または薬物を含む任意の物質を含む。いくつかの実施形態では、生理活性物質は、疾病または病気の治療、予防、診断、治癒または緩和に使用される任意の物質を含む。いくつかの実施形態では、生理活性物質は、解剖学的構造または生理学的機能に影響を与える任意の物質を含む。いくつかの実施形態では、生理活性物質は、動物またはその代謝産物に対する外部の影響のインパクトを変化させる任意の物質を含む。いくつかの実施形態では、複雑な服用計画は、１日の指定された時間に複数の服用量単位の体系的投与を含む。いくつかの実施形態では、服用は身体組織への物質の各個々の放出を含む。
【００２３】
以下の議論は、薬剤分配容器を含む薬剤分配システムと、関連する構成要素と、薬剤分配システムを使用する方法との説明を含む。別の実施形態もまた開示される。添付の図面に示されている本開示の例示的な実施形態を詳細に参照する。図１〜図８を参照して、薬剤分配システム１０の構成要素が示されている。
【００２４】
薬剤分配システム１０の構成要素は、個々に、またはまとめて、投薬の保管および分配に適した材料から製造することができる。いくつかの実施形態では、このような材料には、金属、セラミック、熱可塑性プラスチックなどの合成ポリマー、半剛性および剛性材料、エラストマー、織物および／またはそれらの複合体が含まれる。薬剤分配システム１０の様々な構成要素は、強度、剛性、弾性、コンプライアンスおよび耐久性などの様々な所望の特性を達成するために、上記の材料を含む材料複合材を有してもよい。薬剤分配システム１０の構成要素は、個々にまたは集合的に、上述した材料の２つ以上の組み合わせのような異成分から成る材料から製造されてもよい。薬剤分配システム１０の構成要素は、本明細書に記載されるように、モノリシックに形成されてもよく、一体的に接続されてもよく、または締結要素および／または器具を含んでもよい。
【００２５】
薬剤分配システム１０は、たとえば薬剤分配容器１２のような薬剤分配装置を含む。薬剤分配容器１２は、たとえばポケット１４などのような壁部、およびたとえばカバー２４などのような壁部を含む。ポケット１４は、底部セクション１６、前方側壁１８、および対向する側壁２０を含む。一実施形態では、底部セクション１６は、長方形の形状を含む。側壁２０は、側壁１８が側壁２０の間に延びるように、底部セクション１６の対向する側に配置される。
【００２６】
カバー２４は、頂部セクション２６と、前側側壁２８と、対向する側壁３０とを含む。側壁３０は、側壁２８が側壁３０の間に延びるように、頂部セクション２６の対向する側に配置される。１つの実施の形態では、上部セクションは２６は長方形形状を含む。ポケット１４は、カバー２４の内側に適合するように構成されている。いくつかの実施形態では、側壁２８は側壁３０と接触し、ここに記載されるように、側壁２８，３０が側壁１８，２０に接触するとキャビティを規定する。
【００２７】
いくつかの実施形態では、薬剤分配容器１２は、たとえば背部３２のような接続部分を含む。背部３２は、ポケット１４とカバー２４との間に延びて、カバー２４はポケット１４に対して回動可能である。カバー２４は側壁２８とは反対側の端部で背部３２に取り付けられ、ポケット１４は、側壁１８と反対側の端部で背部３２に取り付けられている。カバー２４は、ポケット１４に対して、たとえば図３および図４に示すように投薬アクセス可能な構成などのような開いたまたはロックされない構成と、図１及び図２に示すように不正開封防止構成などのような閉じられたまたはロックされた構成との間で回動可能である。いくつかの実施形態では、図２に示すように、薬剤分配容器１２は、本明細書で説明されるように、ロッキング機構がロッキング面と整列されるように、閉じた、ロックされた、不正開封防止性のない構成で配置可能である。
【００２８】
いくつかの実施形態では、カバー２４は、ポケット１４に対して０度から３６０度の角度範囲で回転可能である。閉じた構成では、背部３２、側壁１８，２０，２８，３０、およびセクション１６，２６は、カバー２４およびポケット１４が薬剤分配容器１２の内容物へのアクセスを防止するように、実質的に封じられたキャビティを規定する。いくつかの実施形態では、閉じた構成では、カバー２４およびポケット１４は、幼児に対して防止性がある薬剤分配容器を提供する。開いた構成では、ポケット１４はカバー２４に対して回転され、薬剤分配容器１２のキャビティの内容物へのアクセスを容易にするために、薬剤分配容器１２が表面上に平らに載置される。
【００２９】
いくつかの実施形態では、背部３２は、本明細書で論じるように、たとえば単位服用物ページ６０および／または情報インサート７０と係合するように構成されたバインダーリング３４などの結合アセンブリを備える。一実施形態では、バインダーリング３４は、本明細書で論じるように、単位服用物ページ６０の相補的開口６６および／または情報インサート７０の開口７４に係合するように構成される。いくつかの実施形態では、バインダーリング３４は、単位服用物ページ６０および情報インサート７０の組付およびその後の除去を容易にするための分離可能な半分部分を有するリングを備える。バインダーリング３４は、バインダーリング３４の両端に位置決めされたリベット３８の対で背部３２と接続される。いくつかの実施形態では、バインダーリング３４は、クリップ、ネジ、ピン、釘、ボルト、スナップ、またはプレススタッドで背部３２にリベット止めされ得る。一実施形態では、薬剤分配容器１２が閉じた構成に配置されるとき、背部３２はバインダーリング３４の形状に適合する。
【００３０】
薬剤分配容器１２は、薬剤分配容器１２の構成要素を閉じた構成で配置するために、ポケット１４をカバー２４に接続するように構成された機構を含む。一実施形態では、側壁１８は、１つ以上の開口部４０を規定する表面を含む。図２および図３に示すように、側壁１８は、円形の２つの離間した開口部４０を含む。いくつかの実施形態では、開口部４０は、楕円形、長方形、多角形、不規則、先細り、オフセット、千鳥状、均一および不均一であり得る。
【００３１】
カバー２４は、たとえば、側壁１８および／または開口部４０と係合するように構成されたタブ４２などの係合要素を含む。タブ４２は、タブ４２が側壁２８と整列するように、側壁２８に沿って延びる。一実施形態では、タブ４２は、頂部セクション２６に隣接する接続点４４を介して側壁２８に取り付けられている。いくつかの実施形態では、タブ４２は、接続点４４から柔軟に延びて、タブ４２はここに記載されるように選択された構成に弾性的に付勢される。
【００３２】
タブ４２はたとえば解放ボタン４６などのようなロッキング面を規定する。解放ボタン４６は、タブ４２の遠位端に近接して配置され、タブ４２から横断するように延びる。一実施形態では、解放ボタン４６は、開口部４０と係合するように円筒形状を有する。いくつかの実施形態では、解放ボタン４６は、たとえば、部分円筒形、楕円形、長方形、多角形、不規則、先細り、オフセット、千鳥状、均一および不均一などの代替形状を含むことができる。いくつかの実施形態では、解放ボタン４６は、たとえば、角度をつけられた、オフセットされた、および／または千鳥状のような、代替の向きに延びることができる。
【００３３】
タブ４２は、側壁１８の内側面と弾性係合するように構成される。薬剤分配容器１２が開いた構成と閉じた構成との間で移動すると、タブ４２と側壁１８との係合により、タブ４２が、接続点４４を中心として、タブ４２が側壁２８と整列するような位置と、タブ４２が開口部４０へと移動し、曲がり、回動し、および／または回転する位置との間で、移動し、曲がり、回動し、および／または回転する。いくつかの実施形態では、タブ４２の弾性付勢によって、解放ボタン４６を開口部４０内にはめ込む。
【００３４】
閉じた構成から開いた構成に移動するとき、ユーザは、解放ボタン４６と係合して、解放ボタン４６を開口部４０を通して直動させて側壁１８との係合から外す。カバー２４は、ポケット１４の周りで、薬剤分配容器の開いた構成に回転される。いくつかの実施形態では、解放ボタン４６は、タブ４２の遠位端に近接する面取りされた面（図示せず）を備え、薬剤分配容器１２を開いた構成から閉じた構成に閉じるのを容易にする。カバー２４が閉じた構成に向かって回転すると、面取りされた面が側壁１８に係合して、タブ４２を接続点４４の周りで移動させ、曲げ、回動させ、および／または回転させる。カバー２４は、解放ボタン４６が開口部４０内に留まるまで、閉じた位置に向かって回転する。
【００３５】
いくつかの実施形態では、タブ４２には、たとえば、ユーザの薬剤分配容器１２の使用を補助するための指示などの印が設けられる。指示は、たとえば、二重丸のような図形形式で、またはたとえば「ここを押して下さい」などの文言形式で呈示されてもよい。いくつかの実施形態では、指示を解放ボタン４６の表面上に印刷することができる。いくつかの実施形態では、本明細書に記載されているように、スライド５０に近接して側壁１８に指示を印刷することができる。
【００３６】
薬剤分配容器１２はたとえばスライド５０などのような、ロッキング機構を含む。スライド５０は側壁１８とともに配置される。スライド５０は開口部４０間において位置決めされたスロット（図示せず）を介して側壁１８に対して平行移動する。スロットは、側壁１８に沿ったスライド５０の平行移動に対する制限を規定する。スライド５０は、ユーザによる平行移動を容易にするように構成された表面を有するハンドル５４を含む。いくつかの実施形態では、ハンドル５４は、たとえば、粗い、円弧状、波状、メッシュ、多孔質、半多孔質、くぼみおよび／またはテクスチャなど、患者による把持を容易にするために代替表面構成を有することができる。スライド５０は少なくとも１つの窓５６を含む。スライド５０は、ロックされた構成とロックされない構成との間の薬剤分配容器１２の配置のために、開口部４０との整列および非整列のために平行移動するように構成された２つの離間された窓５６を含む。
【００３７】
スライド５０は図１に示されるようにロックする位置と図２に示されるようにロックされない位置との間において直動可能である。ロックされた位置では、窓５６および開口部４０が非整列で配置され、開口部４０がスライド５０によってカバーされるように、スライド５０が配置される。解放ボタン４６はロックされた位置においてはユーザによってアクセス可能ではない。ロックされていない位置では、スライド５０は、窓５６が開口部４０と整列されて解放ボタン４６にアクセスするように向き付けられる。解放ボタン４６は、ロックされていない位置においてポケット１４からカバー２４を解放するよう係合のためにアクセス可能である。
【００３８】
いくつかの実施の形態では、スライド５０はロックされた位置を示すよう、可聴なようにカチッと音が鳴る。いくつかの実施の形態では、スライド５０は薬剤分配容器１２の使用において患者を支援するよう指示を設けられる。いくつかの実施の形態では、指示は図形の形式、たとえばロックを伴う矢印、または「スライドしてロック解除」などのような文言などにおいて呈示されてもよい。いくつかの実施の形態では、指示はスライド５０上に印刷されてもよい。代替的に、いくつかの実施の形態では、指示はスライド５０に近接して側壁１８上に印刷されてもよい。
【００３９】
図４に示されるように、薬剤分配容器１２は、たとえば少なくとも１つの投薬の服用物などのような、１つ以上の投薬を収納および／または含む１つ以上の単位服用物ページ６０を含む。投薬の服用物は複数個のレセプタクル６２において包囲され封止される。いくつかの実施の形態では、薬剤分配容器１２は複数個の単位服用物ページ６０を含む。いくつかの実施の形態では、各単位服用物ページ６０は異なる投薬を封じて、患者の服用計画の一部である各投薬が別々の単位服用物ページ６０上で編成されるようにする。いくつかの実施の形態では、単位服用物ページ６０は、患者の投薬の毎日の服用量が単位服用物ページ６０内に保持されることを示すレセプタクル６２を含む。いくつかの実施の形態では、単位服用物ページ６０は印６４を含み、それは、１つ以上のレセプタクル６２に近接した所定の領域で配置され、およびそれから表示され、レセプタクル６２内に封じられた投薬に関する情報を示す。
【００４０】
いくつかの実施の形態では、薬剤分配容器１２は配置可能な分配装置を含み、それは、ここにおいて記載されるように、服用計画の遵守を増大することによって、動物に治療補助および／または栄養補給を与える。いくつかの実施の形態では、薬剤分配容器１２および／または１つ以上の単位服用物ページ６０はブリスターパックを含み、それは複数個のレセプタクル６２を含む。いくつかの実施の形態では、各レセプタクル６２は服用量単位を収容し、他の服用量単位からその服用量単位を隔離する。いくつかの実施の形態では、各服用量単位内の生理活性物質は他の服用量単位の生理活性物質と接触しない。
【００４１】
いくつかの実施の形態において、薬剤分配容器１２および／または１つ以上の単位服用物ページ６０はブリスターパックを含み、それは、印６４を含む複数個のレセプタクル６２および／または領域からなる少なくとも１つの列を含む。いくつかの実施の形態では、各領域は少なくとも１つのレセプタクル６２を規定する。いくつかの実施の形態では、各レセプタクル６２は、ほんの１つの生理活性物質または複数の保存適合可能物質のいずれかを有する１つの服用量単位のみを保持するために設計される。いくつかの実施の形態では、各レセプタクル６２は複数個の服用量単位を保持するために設計される。
【００４２】
いくつかの実施の形態では、１つ以上のレセプタクル６２を含む各所定の領域は独立して取外し可能または破壊可能な封止を有してもよい。いくつかの実施の形態では、各レセプタクル６２は耐湿性であり、独立して封止されている。いくつかの実施の形態では、１つ以上のレセプタクル６２はプッシュ貫通パックを含むブリスターパックを含んでもよく、それはアルミニウム箔またはアルミニウム箔ラミネートの蓋素材を有する。いくつかの実施の形態では、１つ以上のレセプタクル６２のベースは、プラスチック、たとえばＰＶＣ、ポリアミド、ポリオレフィン、ポリエステル、およびラミネートまたは多層の材料などであってもよい。いくつかの実施の形態では、レセプタクル６２の蓋箔は各レセプタクル６２の領域において脆弱ラインを設けられ、そのラインは把持のためのタブとなって、レセプタクル６２が蓋箔の操作によって露出されるようにしてもよい。
【００４３】
いくつかの実施の形態では、レセプタクル６２は、プラスチック、プラスチックラミネート、プラスチック／紙ラミネートまたはプラスチック／金属箔ラミネートからエンボス加工、深絞り鋳造または真空形成されてもよい。いくつかの実施の形態では、レセプタクル６２は、気体および蒸気に対するバリア層を含み、それはプラスチックラミネートに埋込まれたアルミニウム箔などのような金属箔または２つのプラスチック層間に埋込まれたセラミックス層もしくは金属層から製造されてもよい。
【００４４】
いくつかの実施の形態では、薬剤、投薬または薬物の服用物はたとえば、チュアブル錠、迅速溶解可能タブレット、発泡錠、再構成可能な粉末、エリキシル剤、液体、溶液、懸濁液、エマルジョン、錠剤、多層錠、二層錠、カプセル剤、軟ゼラチンカプセル、硬ゼラチンカプセル、カプレット、ロゼンジ、咀嚼ロゼンジ、ビーズ、散剤、顆粒剤、分散性顆粒剤、カシェ剤、潅注液、坐剤、クリーム、外用物、吸入剤、エアロゾル吸入剤、パッチ、粒子吸入剤、インプラント、デポーインプラント、糖衣錠、アンプル、摂取物、注射剤、点滴液、ヘルスバー、液体、食品、栄養食品、機能性食品、ヨーグルト、ゼラチン、穀物、穀物コーティング、動物飼料および／またはそれらの組み合わせなどを含むことができる。
【００４５】
いくつかの実施の形態において、投薬計画の管理のための投薬計画、管理、指示および／または処方の印６４は、服用日の印、月曜日、火曜日、水曜日、木曜日、金曜日、土曜日、日曜日などのような一週間のうちの特定の一日または前記一日の略語、ある特定の日、または１日目、２日目、３日目などのような一般的な連続日を含んでもよい。いくつかの実施の形態では、印６４は時間の印を含んでもよく、それはたとえばレセプタクル６２の各々に対応する一日の一般的な時間、またはレセプタクル６２の各々に対応する一日の特定の時間、たとえば午前、午後、朝、午後、夜、一日、夜、日中、夜間およびその組合せなどであってもよい。いくつかの実施の形態では、印６４は午前服用および午後服用などのような時刻を示す単位服用物ページ６０の各別の行または列を含んでもよい。いくつかの実施の形態において、レセプタクル６２および／または近接領域は時間の印のために色コード化されてもよい。いくつかの実施の形態では、薬剤分配システム１０の１つ以上の構成要素はカラーコーディングを定義または説明するキーを含んでもよい。
【００４６】
いくつかの実施の形態では、服用物単位はビタミンＡ、ビタミンＢ、ビタミンＣ、ビタミンＤ、ビタミンＥ、ビタミンＫ、必須脂肪酸、葉酸、鉄、カルシウム、マグネシウム、カリウム、銅、クロム、亜鉛、モリブデン、ヨウ素、ホウ素、セレニウム、マンガン、それらの誘導体および／または組合せを含んでもよい。いくつかの実施の形態では、生理活性物質は、チアミン、チアミンピロリン酸、リボフラビン、フラビンモノヌクレオチド、フラビンアデニンジヌクレオチド、ナイアシン、ニコチン酸、ニコチンアミド、ナイアシンアミド、ニコチンアミドアデニンジヌクレオチド、トリプトファン、ビオチン、パントテン酸、アスコルビン酸、レチノール、レチナール、レチノイン酸、β−カロテン、１，２５−ジヒドロキシコレカルシフェロール、７−デヒドロコレステロール、αトコフェロール、トコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴカルシウム、グルコン酸カルシウム、乳酸カルシウム、リン酸カルシウム、レブリン酸カルシウム、リン、カリウム、硫黄、ナトリウム、ドキュセートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸第一鉄、多糖鉄、ならびに／またはそれらの組合せおよび誘導体を含んでもよい。
【００４７】
いくつかの実施の形態では、服用物単位は処方物質および／または非処方物質であってもよい。いくつかの実施の形態では、処方物質は、ホルモン補充薬、避妊薬、骨粗鬆症薬、化学療法剤、抗感染剤、鎮痛剤、ステロイド、食欲抑制剤、体重減少剤、タバコ拮抗薬、コレステロール低減剤、および／またはそれらの組み合わせであってもよい。
【００４８】
いくつかの実施の形態では、処方物質はたとえばチカグレロール（抗血小板）およびクロピドグレル（抗血小板）、プラスグレル（抗血小板）、カルベジロール（βブロッカー）、コハク酸メトプロロール（βブロッカー）、酒石酸メトプロロール（βブロッカー）、リシノプリル（ＡＣＥ阻害薬）、ロサルタン（アンギオテンシン受容体ブロッカー）、バルサルタン（アンギオテンシン受容体ブロッカー）、アトルバスタチン（スタチン）、シンバスタチン（スタチン）、スピロノラクトン（アルドステロン受容体ブロッカー／利尿薬）、アテノロール、エリスロマイシン、ペニシリン、セファロスポリン、テオフィリン、アルブテロール、テルブタリン、ジルチアゼム、プロプラノロール、ニフェジピン、クロニジン、チオリダジン、ジアゼパム、メクリジン、メシル酸エルゴロイド、クロルプロマジン、カルビドパ、レボドーパ、ジプロピオン酸ベクロメタゾン、ブデソニド、デシサメサゾン(dexamehasone)、フルニソリド、プロピオン酸フルチカゾン （fluticasone proprionate）、フランカルボン酸モメタゾン（mometasone furoate）、トリアムシノロンアセトニド、ベコナーゼ、パルミコート（pulmicort）、リノコート、デカドロン、アエロビド／ナゾライド（aerobid/nasolide）、フロベント／フルナーゼ 、アズマコート（azmacort）、アンプレナビル、アデホビルジピボキシル、ジドブジン、アジドチミジン、ＡＺＴ、パクリタキセル、シクロホスファミド、テニポシド、タキソール、シトキサン、ブモン（vumon）、メトトレキセート、メトトレキセート、シスプラチン、カルボプラチン、オキサリプラチン、プラチノール（platinol）、 パラプラチン （paraplatin）、アドリアマイシン、ブレオマイシン、ダクチノマイシン、ダウノルビシン、ドキソルビシン、イダルビシン 、マイトマイシン、ブレノキサン（blenoxane）、コスメゲン、セルビジン（cerubidine） 、ルベックス、インダマイシン、ムタマイシン、ＢＣＮＵ、ストレプトゾシン、ビンブラスチン、チオテパ、接合エストロゲン、エストロゲンエステル、エストロピペート、エストラジオール、エチニルエストラジオール、メドロキシプロゲステロン、メプロバメート、デソゲストレル、レボノルゲストレル、ノルエチンドロン、酢酸ノルエチンドロン、ノルゲスチメート、ノルゲストレル、ラロキシフェン、タモキシフェン、メチルテストステロン、キナプリル、ソタロール、アレンドロネート、アトルバスタチン、コレスチポール、クロフィブレート、および／またはそれらの組合せを含んでもよい。
【００４９】
いくつかの実施の形態において、非処方物質はビタミンもしくはその誘導体および／またはミネラル化合物もしくはその誘導体であり得る。いくつかの実施の形態では、ビタミンまたはミネラルの化合物は、たとえばチアミン、チアミンピロリン酸、リボフラビン、フラビンモノヌクレオチド、フラビンアデニンジヌクレオチド、ナイアシン、ニコチン酸、ニコチンアミド、ナイアシンアミド、ニコチンアミドアデニンジヌクレオチド、トリプトファン、ビオチン、葉酸、パントテン酸、アスコルビン酸、レチノール、レチナール、レチノイン酸、β−カロテン、１，２５−ジヒドロキシコレカルシフェロール、７−デヒドロコレステロール、αトコフェロールトコフェロール、トコトリエノール、メナジオン、メナキノン、フィロキノン、ナフトキノン、カルシウム、炭酸カルシウム、硫酸カルシウム、酸化カルシウム、水酸化カルシウム、カルシウムアパタイト、クエン酸リンゴカルシウム、グルコン酸カルシウム、乳酸カルシウム、リン酸カルシウム、レブリン酸カルシウム、リン、カリウム、硫黄、ナトリウム、ドキュセートナトリウム、塩化物、マグネシウム、ステアリン酸マグネシウム、炭酸マグネシウム、酸化マグネシウム、水酸化マグネシウム、硫酸マグネシウム、銅、ヨウ素、亜鉛、クロム、モリブデン、カルボニル鉄、フマル酸第１鉄、多糖鉄、ならびにそれらの組合せおよび誘導体であってもよい。いくつかの実施の形態では、ビタミン化合物の誘導体は、任意のビタミン化合物の塩類、アルカリ性塩類、エステル、キレート化合物を含む。いくつかの実施の形態では、非処方物質は薬草化合物、薬草抽出物、その誘導体および／またはそれらの組合せであり得る。
【００５０】
いくつかの実施の形態では、投薬計画は、レセプタクル６２のブリスターパック上において、第２の服用量単位に近接して配置された第１の服用量単位を含むことができる。いくつかの実施の形態では、投薬計画は、異なるレセプタクル６２で配置された第２の服用量単位に近接して配置された第１の服用量単位を含む。
【００５１】
いくつかの実施の形態において、図６に示されるように、単位服用物ページ６０は１４個のレセプタクル６２を含む。１つの服用量単位が各レセプタクル６２内に封じられる。レセプタクル６２は、２列で互いに近接して水平に配置される。１つの実施の形態では、列は、各列が７つのレセプタクル６２を含むように、週単位に編成される。単位服用物ページ６０は、投薬が患者によってとられることになっている時間および順序を示す印６４を含む。各レセプタクル６２は、服用が服用計画に従ってとられるべき日を有する矢印で標識付けされる。印６４は単位服用物ページ６０上にスクリーン印刷される。いくつかの実施の形態では、印６４は手書きで書込まれてもよい。単位服用物ページ６０のセクションは、患者、薬剤師または医師による手書きの記載または指示を可能にするよう空白で残される。単位服用物ページ６０は、バインダーリング３４と係合するために開口６６を含む。
【００５２】
１つの実施の形態において、図７に示されるように、単位服用物ページ６０は２８個のレセプタクル６２を含む。１つの服用量単位が各レセプタクル６２内に封じられる。レセプタクル６２は、互いに近接する２つの列から各々がなる２つのグループにおいて縦方向に配置される。１つの実施の形態では、グループは、各グループが１４個のレセプタクル６２を含むように、週単位に編成される。単位服用物ページ６０は、投薬が患者によってとられることになっている時間および順序を示す印６４を含む。各レセプタクル６２は、投薬がとられるべき服用計画の日を示す数で標識付けされる。印６４は、投薬がとられるべき一日の時間を示すために図形を含む。印６４はページ６０上にスクリーン印刷される。いくつかの実施の形態では、印６４は手書きで書込まれてもよい。単位服用物ページ６０のセクションは、患者、薬剤師または医師による手書きの記載または指示を可能にするよう空白で残される。単位服用物ページ６０は、バインダーリング３４と係合するために開口６６を含む。
【００５３】
いくつかの実施の形態では、単位服用物ページ６０は、投与されている投薬の名称および／または性質を示すよう、印６４を含む。いくつかの実施の形態では、印６４は、投与されている投薬の考えられ得る副作用のリストを含む。いくつかの実施の形態では、印６４は患者が投与されている投薬をどれくらいの時間受けなければならないかについて指示を与える。
【００５４】
いくつかの実施の形態において、図４および図５に示されるように、薬剤分配システム１０は、服用計画において投与されている投薬について患者を教育するために、１つ以上の情報インサート７０を含む。いくつかの実施の形態では、情報インサート７０は、投与されている薬の名称および／または性質を示すために印７２を含む。いくつかの実施の形態では、印７２は、投与されている投薬の考えられ得る副作用のリストを含む。いくつかの実施の形態では、印７２は患者が投与されている投薬をどれくらいの時間受けなければならないかについて指示を与える。情報インサート７０は、バインダーリング３４と係合するために開口を含む。いくつかの実施の形態では、薬剤分配システム１０は、容器１２が閉じた構成にあるときに形成されるキャビティに嵌合するよう構成されたノートパッド７６を含んで、医師、薬剤師、健康管理職員および／または患者が患者のための個人化された覚書およびメモを作成するのを容易にする。
【００５５】
いくつかの実施の形態では、情報インサート７０は、単位服用物ページ６０と縦列で閲覧されるよう別のページ上に印刷される。いくつかの実施の形態では、情報インサート７０は第１の単位服用物ページ６０の裏に印刷されて、第１の単位服用物ページ６０がめくられると、情報インサート７０上の情報は、第１の単位服用物ページ６０の背後に位置決めされた第２の単位服用物ページ６０と対応するようにされる。別の実施の形態において、情報インサート７０はステッカーラベル上に印刷され、第１の単位服用物ページ６０の裏に付着されて、第１の単位服用物ページ６０がめくられると、情報インサート７０上の情報は、第１の単位服用物ページ６０の背後に位置決めされた第２の単位服用物ページ６０と対応するようにされる。
【００５６】
１つの実施の形態において、薬剤分配システム１０は、ここにおいて記載されるシステムおよび方法に類似して、ここにおいて記載されるように、薬剤分配容器１２を含み、患者の疾病、病気および／または疾患の治療と関連して用いられる。薬剤分配システム１０の構成要素は、たとえば病院などのような医療施設からの退院で、ここにおいて記載されるように、ユーザ／患者の投薬計画の遵守を容易にする。１つの実施の形態では、患者は心筋梗塞後に退院した後薬剤分配システム１０を利用し、１つまたは複数個の処方および／または非処方投薬を投与するよう処方および／または指示され得る。たとえば、患者は、心筋梗塞のための治療と関連した抗血小板剤、アスピリン、ワーファリン（抗凝血剤）、β−遮断薬、ＡＣＥ阻害薬、スタチン、ニトログリセリン、ドクセート、および／または抗うつ薬を処方され得る。
【００５７】
いくつかの実施の形態において、医療従事者および／または薬剤師は、心筋梗塞のための治療との関連において１つまたはより多くの処方を含む投薬、心筋梗塞のための治療との関連において患者による投与用に指示された１つ以上の非処方投薬、患者によってとられる１つもしくはより多くの既存の処方および／または１つもしくはより多い非処方投薬および栄養補助食品を、再検討および／または考慮する。医療従事者および／または薬剤師は、薬剤分配システム１０を用いて、これらの投薬に基いた投薬計画を判断して、ユーザ／患者の投薬計画の遵守を容易する。
【００５８】
いくつかの実施の形態において、判断された投薬計画上に基いて、健康管理職員、たとえば薬局職員などが、ここにおいて記載されるように、選択された単位服用物ページ６０、情報インサート７０および／またはノートパッド７６を、心筋梗塞や退院するユーザ／患者のために特に作成された選択された薬剤分配容器１２との配置のために準備する。
【００５９】
薬剤分配容器１２は、ユーザ／患者が退院で薬剤分配容器１２を移送および／または担持するように、携帯用である。スライド５０は、図１に示されるように幼児用防止位置から図２に示されるようにロックされていない位置に直動される。ポケット１４からカバー２４を解放するために、図３に示されるように、解放ボタン４６は壁１８との係合からタブ４２を解放するように同時に係合される。ここにおいて記載されるように、単位服用物ページ６０、情報インサート７０および／またはノートパッド７６を含んでもよいポケット１４の内容物は、図４に示されるように、ユーザ／患者にアクセス可能である。ユーザ／患者は、薬剤分配システム１０の構成要素を、たとえばレセプタクル６２からの服用量単位の投与のために印６４を介する指示に従って、ならびに／または印６４、情報インサート７０および／もしくはノートパッド７６からの指示に従って用いることにより、心筋梗塞のための治療との関連においてユーザ／患者の投薬計画の遵守を容易する。スライド５０はロックされた位置に直動させることができ、薬剤分配容器１２は保管および後の使用のために図１に示されるように幼児防止用のロックされた構成において配置可能である。
【００６０】
１つの実施の形態において、図９に示されるように、ここにおいて記載される薬剤分配システム１０のシステムおよび使用方法に類似する薬剤分配システム１０は、たとえば薬剤分配容器１１２などのような薬剤分配装置を含む。薬剤分配容器１１２はたとえばポケット１１４などのような壁およびたとえばカバー１２４などのような壁を含む。ポケット１１４は、底部セクション１１６、およびセクション１１６の周囲を延在する側壁１１８を含む。１つの実施の形態では、底部セクション１１６は矩形形状を含む。
【００６１】
カバー１２４は、頂部セクション１２６、およびセクション１２６の周囲を延在する側壁１２８を含む。１つの実施の形態では、セクション１２６は矩形形状を含む。ポケット１１４はカバー１２４内に嵌合するように構成される。いくつかの実施の形態では、側壁１１８および１２８は、側壁１２８がここにおいて論じられるように側壁１１８と接触させられると、キャビティを規定する。容器１１２は、カバー１２４の反対に位置決めされたフォルダフラップ１３０を含む。フラップ１３０は、ここにおいて開示されるように、情報インサート１７０を受けるように構成されたスリーブ１３１を含む。いくつかの実施の形態では、フラップ１３０はたとえば背部１３２などのような接続部で薬剤分配容器１１２に取付けられている。背部１３２は、フラップ１３０がポケット１１４に対して回動可能なように、ポケット１１４とともに配置される。フラップ１３０はカバー１２４の反対側の端部で背部１３２に取付けられている。
【００６２】
ここにおいて記載されるものに類似して、カバー１２４およびフラップ１３０は、各々ポケット１１４に対して、開いているかまたはロックされていない構成、たとえば投薬アクセス可能な構成などと、閉じられたまたはロックされた構成、たとえば不正開封防止構成などとの間において、回動可能である。いくつかの実施の形態では、ここにおいて記載されるように、スライド１５０が解放ボタン１４６と整列するように、薬剤分配容器１１２は、閉じられ、ロックされ、および、非不正開封防止性にされる構成において配置可能である。
【００６３】
いくつかの実施の形態では、カバー１２４は、０度から３６０度の角度範囲を通ってポケット１１４に対して回転可能である。いくつかの実施の形態では、フラップ１３０は、カバー１２４から対向して位置決めされ、０度から３６０度の角度範囲を通ってポケット１１４に対して回転可能である。閉じた構成では、背部１３２、側壁１１８、１２８、セクション１１６、１２６は、実質的に封じられたキャビティを規定して、カバー１２４およびポケット１１４が薬剤分配容器１１２の内容物へのアクセスを妨げるようにする。いくつかの実施の形態では、閉じた構成では、カバー１２４およびポケット１１４は幼児に対して防止性のある薬剤分配容器を与える。開いた構成では、カバー１２４およびフラップ１３０がポケット１１４に対して回転して、薬剤分配容器１１２が表面上に載置するようにして、封じられたキャビティが露出されて容器１１２の内容物へのアクセスを容易にするようにする。
【００６４】
いくつかの実施の形態では、側壁１１８は、たとえば内側表面で配置されたバインダーリング１３４などのような連結アセンブリを含む。バインダーリング１３４は、薬剤分配システム１０に類似して、ここにおいて論じられるように、単位服用物ページ１６０および／または情報インサート１７０との係合のために構成される。いくつかの実施の形態では、バインダーリング１３４は、単位服用物ページ１６０および情報インサート１７０の組付ならびにそれらの後の除去を容易にするために、分離可能な半分部分を有するリングを含む。バインダーリング１３４は、バインダーリング１３４の対向する端部に位置決めしたリベットの対で側壁１１８と接続される。いくつかの実施の形態では、バインダーリング１３４はクリップ、ねじ、ピン、釘、ボルト、スナップまたはプレススタッドによって側壁１１８にリベット留めすることができる。
【００６５】
薬剤分配容器１１２は、閉じた構成において薬剤分配容器１１２の構成要素の配置のためにポケット１１４をカバー１２４と接続するように構成された機構を含む。１つの実施の形態では、側壁１１８は、１つ以上の開口部１４０を規定する表面を含む。側壁１１８は、円形の形状を有する、２つの対向して位置決めした開口部１４０を含む。
【００６６】
カバー１２４は、たとえば開口部１４０と係合するよう構成された解放ボタン１４６などのような、係合要素を含む。ボタン１４６は側壁１２８の遠位端部に近接して位置決めされ、側壁１２８の外側表面から横断するように延在する。１つの実施の形態では、解放ボタン１４６は、開口部１４０と係合するよう円筒形状を有する。
【００６７】
側壁１２８は側壁１１８の内側表面との弾性係合のために構成される。薬剤分配容器１１２が開いた構成と閉じた構成との間において移動されると、側壁１２８の側壁１１８との係合は側壁１２８をセクション１２６に対して移動させ、撓ませ、回動させ、および／または回転させる。いくつかの実施の形態では、側壁１２８の弾性バイアスはボタン１４６を開口部１４０内に嵌めさせる。
【００６８】
閉じた構成から開いた構成に移動するときに、ユーザは解放ボタン１４６を係合して、解放ボタン１４６を開口部１４０を介して直動させて、側壁１１８との係合を解除する。カバー１２４は、薬剤分配容器１１２の開いた構成へとポケット１１４のまわりを回転する。いくつかの実施の形態では、解放ボタン１４６は、開いた構成から閉じた構成に薬剤分配容器１１２を閉じることを容易にするために側壁１２８の遠位端部に近接して面取りされた表面（図示せず）を含む。カバー１２４が閉じた構成に向かって回転すると、面取りされた表面は側壁１１８と係合して、側壁１２８を移動させ、撓ませ、回動させ、および／または回転させる。解放ボタン１４６が開口部１４０内に留まるまで、カバー１２４は閉じられた位置に向かって回転する。
【００６９】
いくつかの実施の形態では、側壁１２８は、たとえば薬剤分配容器１１２の使用においてユーザ患者を支援する指示などのような、印を設けられる。指示は、たとえば、二重丸のような図形形式で、またはたとえば「ここを押して下さい」などの文言形式で呈示されてもよい。いくつかの実施形態では、指示を解放ボタン４６の表面上に印刷することができる。いくつかの実施形態では、本明細書に記載されているように、スライド５０に近接して側壁１８に指示を印刷することができる。
【００７０】
薬剤分配容器１１２はたとえばスライド５０などのような、ロッキング機構を含む。スライド１５０は側壁１１８とともに配置される。スライド１５０は開口部１４０に近接して位置決めされたスロット（図示せず）を介して側壁１１８に対して平行移動する。スロットは、側壁１１８に沿ったスライド１５０の平行移動に対する制限を規定する。スライド１５０は、ユーザによる平行移動を容易にするように構成された表面を有するハンドル１５４を含む。スライド１５０は少なくとも１つの窓１５６を含む。スライド１５０は、ロックされた構成とロックされない構成との間の薬剤分配容器１２の配置のために、開口部１４０との整列および非整列のために平行移動するように構成された２つの離間された窓１５６を含む。１つの実施の形態において、容器１１２は２つの対向して位置決めした開口部１４０との整列のために２つの対向して位置決めしたスライド１５０を含む。
【００７１】
スライド１５０は、ここにおいて記載されるものに類似して、ロックする位置とロックされていない位置との間において直動可能である。ロックされた位置では、窓１５６および開口部１４０が非整列で配置され、開口部１４０がスライド１５０によってカバーされるように、スライド１５０が配置される。解放ボタン１４６はロックされた位置においてはユーザによってアクセス可能ではない。ロックされていない位置では、スライド１５０は、窓１５６が開口部１４０と整列されて解放ボタン１４６にアクセスするように向き付けられる。解放ボタン１４６は、ロックされていない位置においてポケット１１４からカバー１２４を解放するよう係合のためにアクセス可能である。
【００７２】
いくつかの実施の形態では、スライド１５０はロックされた位置を示すよう、可聴なようにカチッと音が鳴る。いくつかの実施の形態では、スライド１５０は薬剤分配容器１１２の使用において患者を支援するよう指示を設けられる。いくつかの実施の形態では、指示は図形の形式、たとえばロックを伴う矢印、または「スライドしてロック解除」などのような文言などにおいて呈示されてもよい。いくつかの実施の形態では、指示はスライド１５０上に印刷されてもよい。代替的に、いくつかの実施の形態では、指示はスライド１５０に近接して側壁１１８上に印刷されてもよい。
【００７３】
薬剤分配容器１１２は、ここに記載される単位服用物ページ６０と類似の、たとえば少なくとも１つの投薬の服用物などのような、１つ以上の投薬を収納および／または含む１つ以上の単位服用物ページ１６０を含む。いくつかの実施の形態では、薬剤分配システム１１０は、服用計画において投与されている投薬について患者を教育するために、ここに記載される情報インサート７０と類似の、１つ以上の情報インサート１７０を含む。
【００７４】
使用において、ここにおいて記載されるものに類似して、薬剤分配容器１１２は、ユーザ／患者が退院で薬剤分配容器１１２を移送および／または担持するように、携帯用である。スライド１５０は幼児防止用位置からロックされていない位置に直動される。ポケット１１４からカバー１２４を解放するために、解放ボタン１４６は壁１１８との係合からタブ１４２を解放するように同時に係合される。ここにおいて記載されるように、単位服用物ページ１６０、情報インサート１７０を含んでもよいポケット１１４の内容物は、ユーザ／患者にアクセス可能である。ユーザ／患者は、薬剤分配システム１０の構成要素を、たとえばレセプタクルからの服用量単位の投与のために単位服用物ページ１６０上の印を介する指示に従って、ならびに／または情報インサート１７０上の印からの指示に従って用いることにより、ここに記載されるように、治療との関連においてユーザ／患者の投薬計画の遵守を容易する。スライド１５０はロックされた位置に直動させることができ、薬剤分配容器１１２は保管および後の使用のために幼児防止用のロックされた構成において配置可能であるようにされる。
【００７５】
１つの実施の形態において、図１０〜図１２に示されるように、ここにおいて記載されるシステムおよび使用方法に類似する薬剤分配システム１０は、たとえば薬剤分配容器２１２などのような薬剤分配装置を含む。薬剤分配容器２１２はたとえばポケット２１４などのような壁およびたとえばカバー２２４などのような壁を含む。ポケット２１４は底部セクション２１６、前方側壁２１８および対向側壁２２０を含む。１つの実施の形態では、底部セクション２１６は矩形形状を含む。側壁２２０は、側壁２１８が側壁２２０間において延在するように、底部セクション２１６の対向する側部に配置される。カバー２２４は頂部セクション２２６を含む。いくつかの実施の形態では、ここにおいて論じられるように、セクション２２６は側壁２１８および２２０と接触してキャビティを規定する。
【００７６】
いくつかの実施の形態では、薬剤分配容器２１２はたとえば背部２３２などのような接続部を含む。背部２３２は、カバー２２４がポケット２１４に対して回動可能なように、ポケット２１４とカバー２２４との間を延在する。カバー２２４はポケット２１４に近接した端部で背部２３２に取付けられ、ポケット２１４は側壁２１８の反対の端部で背部２３２に取付けられている。カバー２２４はポケット２１４に対して、開いているかまたはロックされていない構成、たとえば投薬アクセス可能な構成などと、閉じられたまたはロックされた構成、たとえば不正開封防止構成などとの間において、回動可能である。いくつかの実施の形態では、ここにおいて記載されるように、ノブ２５０が解放ボタン２４６と整列されてボタン２４６が係合されるのを妨げるように、薬剤分配容器２１２は、閉じられ、ロックされ、および、非不正開封防止性にされる構成において配置可能である。
【００７７】
いくつかの実施の形態では、カバー２２４は、０度から３６０度の角度範囲を通ってポケット２１４に対して回転可能である。閉じた構成では、背部２３２、側壁２１８、２２０、セクション２１６、２２６は、実質的に封じられたキャビティを規定して、カバー２２４およびポケット２１４が薬剤分配容器２１２の内容物へのアクセスを妨げるようにする。いくつかの実施の形態では、閉じた構成では、カバー２２４およびポケット２１４は幼児に対して防止性のある薬剤分配容器を与える。開いた構成では、ポケット２１４はカバー２２４に対して回転して、薬剤分配容器２１２が表面上に平らに載置されるようにして、薬剤分配容器２１２のキャビティの内容物へのアクセスの容易さを容易にするようにする。
【００７８】
いくつかの実施の形態では、背部２３２は、たとえばバインダーリング２３４などのような、ここにおいて記載される単位服用物ページ６０および／もしくは１６０に類似する単位服用物ページ２６０、ならびに／またはここにおいて記載されるように情報インサート７０および／もしくは１７０に類似する情報インサートとの係合のために構成された、連結アセンブリを含む。１つの実施の形態において、バインダーリング２３４はここにおいて論じられるように単位服用物ページ２６０の相補的な開口および／または情報インサートの開口を係合するように構成される。いくつかの実施の形態では、バインダーリング２３４は、単位服用物ページ２６０の組付およびそれらの後の除去を容易にするために、分離可能な半分部分を有するリングを含む。バインダーリング２３４は、バインダーリング２３４の対向する端部に位置決めしたリベットの対で背部２３２と接続される。いくつかの実施の形態では、バインダーリング２３４はクリップ、ねじ、ピン、釘、ボルト、スナップまたはプレススタッドによって背部２３２にリベット留めすることができる。１つの実施の形態において、薬剤分配容器２１２が閉じた構成に配置されると、背部２３２はバインダーリング２３４の形状に一致する。
【００７９】
薬剤分配容器２１２は、閉じた構成において薬剤分配容器２１２の構成要素の配置のためにポケット２１４をカバー２２４と接続するように構成された機構を含む。１つの実施の形態では、側壁２１８は、１つ以上の開口部２４０を規定する表面を含む。側壁２１８は、円形の形状を有する、２つの対向して位置決めした開口部２４０を含む。
【００８０】
カバー２２４は、たとえば側壁２１８および／または開口部２４０と係合するよう構成されたタブ２４２などのような、係合要素を含む。タブ２４２が側壁２２８と整列されるように、タブ２４２は側壁２２８に沿って延在する。いくつかの実施の形態では、タブ２４２は頂部部分２２６に近接した接続点２４４を介して側壁２２８に取付けられている。いくつかの実施の形態では、タブ２４２は、ここにおいて記載されるように、可撓性をもって接続点２４４から延在して、タブ２４２が選択された構成に弾性的に付勢されるようにする。
【００８１】
タブ２４２はたとえば解放ボタン２４６などのような、ロッキング面を規定する。解放ボタン２４６はタブ２４２の遠位端部に近接して位置決めされ、タブ２４２から横断するように延在する。１つの実施の形態では、解放ボタン２４６は、開口部２４０と係合するよう円筒形状を有する。
【００８２】
タブ２４２は側壁２１８の内側表面との弾性係合のために構成される。薬剤分配容器２１２が開いた構成と閉じた構成との間において移動されると、タブ２４２の側壁２１８との係合は、タブ２４２を、接続点２４４の周りにおいてタブ２４２が側壁２２８と整列されるような位置と、タブ２４２が開口部２４０に移動し、撓み、回動し、および／もしくは回転する位置との間で、移動させ、撓ませ、回動させ、ならびに／または回転させる。いくつかの実施の形態では、タブ２４２の弾性バイアスはボタン２４６を開口部２４０内に嵌めさせる。
【００８３】
閉じた構成から開いた構成に移動するときに、ユーザは解放ボタン２４６と係合するが、これは、指などをノブ２５０の近くおよび／または背後に挿入してノブ２５０を撓ませてボタン２４６との整列を解除して、解放ボタン２４６が開口部２４０を通って側壁２１８との係合から解除されるように直動するようにすることによって行なう。カバー２２４は、薬剤分配容器２１２の開いた構成へとポケット２１４のまわりを回転する。いくつかの実施の形態では、解放ボタン２４６は、開いた構成から閉じた構成に薬剤分配容器２１２を閉じることを容易にするためにタブ２４２の遠位端部に近接した面取りされた表面（図示せず）を含む。カバー２２４が閉じた構成に向かって回転すると、面取りされた表面は側壁２１８を係合して、タブ２４２接続点２４４の周りで移動させ、撓ませ、回動させ、および／または回転させる。解放ボタン２４６が開口部２４０内に留まるまで、カバー２２４は閉じられた位置に向かって回転する。
【００８４】
いくつかの実施の形態では、タブ２４２は、たとえば薬剤分配容器２１２の使用においてユーザ患者を支援する指示などのような、印を設けられる。指示は、たとえば、二重丸のような図形形式で、またはたとえば「ここを押して下さい」などの文言形式で呈示されてもよい。いくつかの実施形態では、指示をノブ２５０の表面上に印刷することができる。いくつかの実施形態では、本明細書に記載されているように、ノブ２５０に近接して側壁２１８に指示を印刷してもよい。
【００８５】
ノブ２５０は図１０に示されるようにロックされた位置と図１１および図１２に示されるようにロックされない位置との間に置いて容器２１２を移動するよう押し下げ可能である。ロックされた位置では、ボタン２４６は開口部２４０に配置される。ノブ２５０は開口部２４０からボタン２４６を解放するよう押圧される。解放ボタン２４６は、ロックされていない位置においてポケット２１４からカバー２２４を解放するよう係合のためにアクセス可能である。
【００８６】
薬剤分配容器１２は、図１２に示されるように、ここに記載される単位服用物ページ６０および／または１６０と類似の、たとえば少なくとも１つの投薬の服用物などのような、１つ以上の投薬を収納および／または含む１つ以上の単位服用物ページ２６０を含む。いくつかの実施の形態では、薬剤分配システム２１０は、服用計画において投与されている投薬について患者を教育するために、ここに記載される情報インサート７０および／または１７０と類似の、１つ以上の情報インサートを含む。１つの実施の形態において、情報インサートは、バインダーリング２３４と係合するために開口を含む。
【００８７】
使用において、ここにおいて記載されるものに類似して、薬剤分配容器２１２は、ユーザ／患者が退院で薬剤分配容器２１２を移送および／または担持するように、携帯用である。ノブ２５０は幼児防止用位置からロックされていない位置に容器２１２を移動するよう押圧される。ポケット２１４からカバー２２４を解放するために、解放ボタン２４６は側壁２２０との係合からタブ２４２を解放するように同時に係合される。ここにおいて記載されるように、単位服用物ページ２６０および情報インサートを含んでもよいポケット２１４の内容物は、ユーザ／患者にアクセス可能である。ユーザ／患者は、薬剤分配システム２１０の構成要素を、たとえば、レセプタクルからの服用量単位の投与のために単位服用物ページ２６０上の印を介する指示に従って、および／またはインサート上の印からの指示に従って用いることにより、ここに記載されるように、治療との関連においてユーザ／患者の投薬計画の遵守を容易する。タブ２４２は、ボタン２４６が開口部２４０を係合するロックされた位置に、側壁２２０と接触するよう戻されて、薬剤分配容器２１２が保管および後の使用のために幼児防止用のロックされた構成において配置可能であるようにされる。
【００８８】
１つの実施の形態において、図１３に示されるように、ここにおいて記載されるシステムおよび使用方法に類似する薬剤分配システム１０は、たとえば積層整理部３１２などのようなレセプタクルを含む。積層整理部３１２は、たとえば薬剤分配容器２１２などのような薬剤分配容器の効率的な保管を容易にするために積層可能な構成を含む。いくつかの実施の形態では、積層整理部３１２は線形および／または軸方向の向きにおける容器２１２の配置のために構成される。いくつかの実施の形態では、積層整理部３１２は、千鳥状の、オフセットされた、行または列の向きにおける薬剤分配容器２１２の配置のために構成される。
【００８９】
積層整理部３１２はセクション３１４に分割される。セクション３１４は、仕切３１８によって分離された区画３１６を含む。各区画３１６は壁３２０および開口３２２を含む。いくつかの実施の形態では、積層整理部３１２は５つの区画３１６に分割される。各区画３１６は等しくサイズ決めおよび構成される。いくつかの実施の形態では、積層整理部３１２は１つ以上の区画を含む。
【００９０】
１つの実施の形態において、図１４〜図２１において示されたように薬剤分配システム１０は、ここにおいて記載されるシステムおよび使用方法に類似して、ここにおいて記載される薬剤分配容器２１２に類似する、たとえば薬剤分配容器４１２などのような薬剤分配装置、たとえば整理部４８０などのようなレセプタクル、およびたとえば可撓性のあるトートバッグ４９０などのようなレセプタクルを、システム１０の構成要素、たとえば、薬剤分配容器１２および１１２および２１２に類似した、薬剤分配容器４１２、および整理部４８０などの配置のために含む。
【００９１】
薬剤分配容器４１２は、カバー４２４を含み、それは、図１９〜図２１に示されるように、開いているかまたはロックされていない構成、たとえば投薬アクセス可能な構成などと、図１７に示されるように、閉じられたまたはロックされた構成、たとえば不正開封防止構成などとの間において、回動可能である。薬剤分配容器４１２は、ここに記載される単位服用物ページ２６０と類似の、たとえば少なくとも１つの投薬の服用物などのような、１つ以上の投薬を収納および／または含む１つ以上の単位服用物ページ４６０を含む。
【００９２】
整理部４８０は、仕切４８４によって分離された区画４８２を含むセクションに分割される。いくつかの実施の形態では、各区画４８２は等しくサイズ決めおよび構成される。整理部４８０は、整理部４８０に取付けられたフォルダフラップ４８６を含む。フラップ４８６は整理部４８０に対して回動可能である。
【００９３】
１つの実施の形態において、図２２〜図３１に示されるように、ここにおいて記載されるシステムおよび方法に類似する薬剤分配システム１０は、たとえば薬剤分配容器５１２などのような薬剤分配装置を含む。
【００９４】
薬剤分配容器５１２はたとえばポケット５１４などのような壁およびたとえばポケット５２４などのような壁を含む。ポケット５１４は底部セクション５１６、前方側壁５１８および対向側壁５２０を含む。壁５１８、５２０は表面５２２を規定する。１つの実施の形態では、底部セクション５１６は矩形形状を含む。側壁５２０は、側壁５１８が側壁５２０間において延在するように、底部セクション５１６の対向する側部に配置される。
【００９５】
ポケット５２４は頂部セクション５２６、前方側壁５２８および対向側壁５３０を含む。側壁５３０は、側壁５２８が側壁５３０間において延在するように、頂部セクション５２６の対向する側部に配置される。壁５２８、５３０は表面５３２を規定する。１つの実施の形態では、頂部セクション５２６は矩形形状を含む。薬剤分配容器５１２を閉じるために、表面５２２は表面５３２と合うよう構成される。１つの実施の形態では、ポケット５２４は、外側ポケット５４４を規定する外側表面５４２を含む。ポケット５４４は、たとえば、情報インサート５７０および／またはノートパッド５７６および／または他の資料などの摺動可能な配置のために構成される。
【００９６】
いくつかの実施の形態では、薬剤分配容器５１２はたとえば背部５４０などのような接続部を含む。背部５４０は、ポケット５２４がポケット５１４に対して回動可能なように、ポケット５１４とポケット５２４との間で延在する。ポケット５２４は側壁５２８の反対の端部で背部５４０に取付けられ、ポケット５１４は側壁５１８の反対の端部で背部５４０に取付けられている。ポケット５２４はポケット５１４に対して、図２２に示されるように、開いているかまたはロックされていない構成、たとえば投薬アクセス可能な構成などと、閉じられたまたはロックされた構成、たとえば不正開封防止構成などとの間において、回動可能である。いくつかの実施の形態では、図２７に示されるように、薬剤分配容器５１２は、ロッキング機構５５０を伴う、閉じられ、ロックされ、および、非不正開封防止性にされる構成において配置可能である。
【００９７】
いくつかの実施の形態では、ポケット５２４は、０度から３６０度の角度範囲を通ってポケット５１４に対して回転可能である。閉じた構成において、図２７に示されるように、背部５４０、側壁５１８、５２０、５２８、５３０、セクション５１６、５２６は、ここにおいて論じられるように、単位服用物ページ５６０および／または情報インサート５７０の配置のために構成された、実質的に封じられたキャビティ５５４を規定し、ポケット５２４およびポケット５１４が薬剤分配容器５１２の内容物へのアクセスを妨げるようにする。いくつかの実施の形態では、閉じた構成では、ポケット５２４およびポケット５１４は幼児に対して防止性のある薬剤分配容器を与える。開いた構成では、図２９および図３０に示されるように、ポケット５１４はポケット５２４に対して回転して、薬剤分配容器５１２が表面上に平らに載置されるようにして、容器分配容器５１２のキャビティの内容物へのアクセスの容易さを容易にするようにする。１つの実施の形態において、薬剤分配容器５１２は、たとえば９インチ×１２インチなどのようなプリンタ用紙の運搬および保管を容易するようサイズ決めされる。
【００９８】
薬剤分配容器５１２は、閉じた構成において薬剤分配容器５１２の構成要素の配置のためにポケット５１４をポケット５２４と接続するように構成された機構を含む。いくつかの実施の形態では、ポケット５１４および／またはポケット５２４は、たとえば薬剤分配容器５１２の使用においてユーザ患者を支援する指示などのような、印を設けられる。指示は、たとえば、二重丸のような図形形式で、またはたとえば「ここを押して下さい」などの文言形式で呈示されてもよい。
【００９９】
薬剤分配容器５１２はロッキング機構５５０を含む。ロッキング機構５５０は雄の係合部分５５２および雌の係合部分５５５を含む。いくつかの実施の形態では、ロッキング機構５５０はロックされた位置を示すために聞えるようにカチッと鳴る。いくつかの実施の形態では、ロッキング機構５５０は、薬剤分配容器５１２の使用において患者を支援する指示を設けられる。いくつかの実施の形態では、指示は図形の形式、たとえばロックを伴う矢印、または「スライドしてロック解除」などのような文言などにおいて呈示されてもよい。いくつかの実施の形態では、指示はロッキング機構５５０上に印刷されてもよい。代替的に、いくつかの実施の形態では、指示はロッキング機構５５０に近接して側壁５１８上に印刷されてもよい。
【０１００】
図２３〜図２６に示されるように、薬剤分配容器５１２は、たとえば少なくとも１つの投薬の服用物などのような、１つ以上の投薬を収納および／または含む１つ以上の単位服用物ページ５６０を含む。投薬の服用物は複数個のレセプタクル５６２において包囲され封止される。いくつかの実施の形態では、薬剤分配容器５１２は複数個の単位服用物ページ５６０を含む。１つの実施の形態では、図２４に示されるように、複数個の単位服用物ページ５６０が３つの部分からなる構成に配置される。いくつかの実施の形態では、各単位服用物ページ５６０は異なる投薬を封じて、患者の服用計画の一部である各投薬が別々の単位服用物ページ５６０上で編成されるようにする。いくつかの実施の形態では、単位服用物ページ５６０は、患者の投薬の毎日の服用量が単位服用物ページ５６０内に保持されることを示すレセプタクル５６２を含む。いくつかの実施の形態では、単位服用物ページ５６０は印５６４を含み、それは、１つ以上のレセプタクル５６２に近接した所定の領域で配置され、およびそれから表示され、レセプタクル５６２内に封じられた投薬に関する情報を示す。
【０１０１】
いくつかの実施の形態では、薬剤分配容器５１２は配置可能な分配装置を含み、それは、ここにおいて記載されるように、服用計画の遵守を増大することによって、動物に治療補助および／または栄養補給を与える。いくつかの実施の形態では、薬剤分配容器５１２および／または１つ以上の単位服用物ページ５６０はブリスターパックを含み、それは複数個のレセプタクル５６２を含む。いくつかの実施の形態では、レセプタクル５６２は各服用量単位を収容し、他の服用量単位からその服用量単位を隔離する。いくつかの実施の形態では、各服用量単位内の生理活性物質は他の服用量単位の生理活性物質と接触しない。
【０１０２】
いくつかの実施の形態において、薬剤分配容器５１２および／または１つ以上の単位服用物ページ５６０はブリスターパックを含み、それは、印５６４を含む複数個のレセプタクル５６２および／または領域からなる少なくとも１つの列を含む。いくつかの実施の形態では、各領域は少なくとも１つのレセプタクル５６２を規定する。いくつかの実施の形態では、各レセプタクル５６２は、ほんの１つの生理活性物質または複数の保存適合可能物質のいずれかを有する１つの服用量単位のみを保持するために設計される。いくつかの実施の形態では、各レセプタクル５６２は複数個の服用量単位を保持するために設計される。１つの実施の形態において、図２６に示されるように、レセプタクル５６２の整列は、１つページ５６０ａ上のレセプタクル５６２ａが、対向するページ５６０ｂ内におけるレセプタクル５６２ｂ間での配置のために構成されて、薬剤分配容器５１２内での保管に関して最小でページ５６０ａ、５６０ｂを閉じることを容易にするようになされる。
【０１０３】
いくつかの実施の形態では、１つ以上のレセプタクル５６２を含む各所定の領域は独立して取外し可能または破壊可能な封止を有してもよい。いくつかの実施の形態では、各レセプタクル５６２は耐湿性であり、独立して封止されている。いくつかの実施の形態では、１つ以上のレセプタクル５６２はプッシュ貫通パックを含むブリスターパックを含んでもよく、それはアルミニウム箔またはアルミニウム箔ラミネートの蓋素材を有する。いくつかの実施の形態では、１つ以上のレセプタクル５６２のベースは、プラスチック、たとえばＰＶＣ、ポリアミド、ポリオレフィン、ポリエステル、およびラミネートまたは多層の材料などであってもよい。いくつかの実施の形態では、レセプタクル５６２の蓋箔は各レセプタクル５６２の領域において脆弱ラインを設けられ、そのラインは把持のためのタブとなって、レセプタクル５６２が蓋箔の操作によって露出されるようにしてもよい。
【０１０４】
いくつかの実施の形態では、レセプタクル５６２は、プラスチック、プラスチックラミネート、プラスチック／紙ラミネートまたはプラスチック／金属箔ラミネートからエンボス加工、深絞り鋳造または真空形成されてもよい。いくつかの実施の形態では、レセプタクル５６２は、気体および蒸気に対するバリア層を含み、それはプラスチックラミネートに埋込まれたアルミニウム箔などのような金属箔または２つのプラスチック層間に埋込まれたセラミックス層もしくは金属層から製造されてもよい。
【０１０５】
いくつかの実施の形態では、投薬計画は、レセプタクル５６２のブリスターパック上において、第２の服用量単位に近接して配置された第１の服用量単位を含むことができる。いくつかの実施の形態では、投薬計画は、異なるレセプタクル５６２で配置された第２の服用量単位に近接して配置された第１の服用量単位を含む。
【０１０６】
いくつかの実施の形態において、単位服用物ページ５６０は１４個のレセプタクル５６２を含む。１つの服用量単位が各レセプタクル５６２内に封じられる。レセプタクル５６２は、２列で互いに近接して水平に配置される。１つの実施の形態では、列は、各列が７つのレセプタクル５６２を含むように、週単位に編成される。単位服用物ページ５６０は、投薬が患者によってとられることになっている時間および順序を示す印５６４を含む。各レセプタクル５６２は、服用が服用計画に従ってとられるべき日を有する矢印で標識付けされる。印５６４は単位服用物ページ５６０上にスクリーン印刷される。いくつかの実施の形態では、印５６４は手書きで書込まれてもよい。単位服用物ページ５６０のセクションは、患者、薬剤師または医師による手書きの記載または指示を可能にするよう空白で残される。
【０１０７】
１つの実施の形態において、単位服用物ページ５６０は２８個のレセプタクル５６２を含む。１つの服用量単位が各レセプタクル５６２内に封じられる。レセプタクル５６２は、互いに近接する２つの列から各々がなる２つのグループにおいて縦方向に配置される。グループは、各グループが１４個のレセプタクル５６２を含むように、週単位に編成される。単位服用物ページ５６０は、投薬が患者によってとられることになっている時間および順序を示す印５６４を含む。各レセプタクル５６２は、投薬がとられるべき服用計画の日を示す数で標識付けされる。印５６４は、投薬がとられるべき一日の時間を示すために図形を含む。印５６４は単位服用物ページ５６０上にスクリーン印刷される。いくつかの実施の形態では、印５６４は手書きで書込まれてもよい。単位服用物ページ５６０のセクションは、患者、薬剤師または医師による手書きの記載または指示を可能にするよう空白で残される。
【０１０８】
１つの実施の形態において、単位服用物ページ５６０は１４個のレセプタクル５６２を含む。１つの服用量単位が各レセプタクル５６２内に封じられる。レセプタクル５６２は、互いから対向して配置された２つの列において縦方向に配置される。各列が７つのレセプタクル５６２を含むように、列は週に編成される。単位服用物ページ５６０は、投薬が患者によってとられることになっている時間および順序を示す印５６４を含む。各レセプタクル５６２は、投薬がとられるべき服用計画の日を示す数で標識付けされる。印５６４は単位服用物ページ５６０上にスクリーン印刷される。いくつかの実施の形態では、印５６４は手書きで書込まれてもよい。単位服用物ページ５６０のセクションは、患者、薬剤師または医師による手書きの記載または指示を可能にするよう空白で残される。
【０１０９】
いくつかの実施の形態では、単位服用物ページ５６０は、投与されている投薬の名称および／または性質を示すよう、印５６４を含む。いくつかの実施の形態では、印５６４は、投与されている投薬の考えられ得る副作用のリストを含む。いくつかの実施の形態では、印５６４は患者が投与されている投薬をどれくらいの時間受けなければならないかについて指示を設ける。
【０１１０】
いくつかの実施の形態において、薬剤分配システム１０は、服用計画において投与されている投薬について患者を教育するために、１つ以上の情報インサート５７０を含む。いくつかの実施の形態では、情報インサート５７０は、投与されている薬の名称および／または性質を示すために印５７２を含む。いくつかの実施の形態では、印５７２は、投与されている投薬の考えられ得る副作用のリストを含む。いくつかの実施の形態では、印５７２は患者が投与されている投薬をどれくらいの時間受けなければならないかについて指示を与える。いくつかの実施の形態では、薬剤分配システム１０は、容器５１２が閉じた構成にあるときに形成されるキャビティに嵌合するよう構成されたノートパッド５７６を含んで、医師、薬剤師、健康管理職員および／または患者が患者のための個人化された覚書およびメモを作成するのを容易にする。
【０１１１】
いくつかの実施の形態では、インサート５７０は、ページ５６０と縦列で閲覧されるよう別のページ上に印刷される。いくつかの実施の形態では、インサート５７０はポケット５１４とともに配置され、第１のページ５６０はポケット５２４に配置されて、第１のページ５６０が閲覧されるときに、インサート５７０上の情報を同時に閲覧することができるようにする。
【０１１２】
１つの実施の形態において、図３２〜図３８に示されるように、ここにおいて記載されるシステムおよび方法に類似する薬剤分配システム１０は、薬剤分配容器６１２を含む。薬剤分配容器６１２はポケット６１４およびポケット６２４を含む。ポケット６１４は、底部セクション６１６、前方側壁６１８、および対向する側壁６２０を含む。壁６１８、６２０は表面６２２を規定する。側壁６２０は、側壁６１８が側壁６２０の間に延びるように、底部セクション６１６の対向する側に配置される。
【０１１３】
ポケット６２４は頂部セクション６２６、前方側壁６２８および対向側壁６３０を含む。側壁６３０は、側壁６２８が側壁６３０の間に延びるように、頂部セクション６２６の対向する側部に配置される。壁６２８、６３０は表面６３２を規定する。薬剤分配容器６１２を閉じるために、表面６２２は表面６３２と合うよう構成される。
【０１１４】
いくつかの実施形態では、薬剤分配容器６１２は、たとえば背部６４０のような接続部分を含む。背部６４０は、ポケット６１４とポケット６２４との間に延びて、ポケット６２４がポケット６１４に対して回動可能である。ポケット６２４は側壁６２８とは反対側の端部で背部６４０に取り付けられ、ポケット６１４は、側壁６１８と反対側の端部で背部６４０に取り付けられている。ポケット６２４は、ポケット６１４に対して、たとえば図３４に示すように投薬アクセス可能な構成などのような開いたまたはロックされない構成と、図３２に示すように不正開封防止構成などのような閉じられたまたはロックされた構成との間で回動可能である。いくつかの実施の形態では、ここにおいて記載されるように、薬剤分配容器６１２は、ロッキング機構６５０で、閉じられ、ロックされ、および、非不正開封防止性にされる構成において配置可能である。
【０１１５】
いくつかの実施の形態では、ポケット６２４は、０度から３６０度の角度範囲を通ってポケット６１４に対して回転可能である。閉じた構成において、図３２に示されるように、背部６４０、側壁６１８、６２０、６２８、６３０、セクション６１６、６２６は、単位服用物ページ６６０および／または情報インサート６７０の配置のために構成された、実質的に封じられたキャビティを規定し、ポケット６２４およびポケット６１４が薬剤分配容器６１２の内容物へのアクセスを妨げるようにする。いくつかの実施の形態では、閉じた構成において、ポケット６２４およびポケット６１４は、幼児に対して防止性がある薬剤分配容器を提供する。開いた構成では、図３４に示されるように、ポケット６１４はポケット６２４に対して回転され、薬剤分配容器６１２のキャビティの内容物へのアクセスを容易にするために、薬剤分配容器６１２が表面上に平らに載置される。
【０１１６】
薬剤分配容器６１２は、薬剤分配容器６１２の構成要素を閉じた構成で配置するために、ポケット６１４をポケット６２４に接続するように構成された機構を含む。いくつかの実施の形態では、ポケット６１４および／またはポケット６２４は、たとえば薬剤分配容器６１２の使用においてユーザ患者を支援する指示などのような、印を設けられる。指示は、たとえば、二重丸のような図形形式で、またはたとえば「ここを押して下さい」などの文言形式で呈示されてもよい。
【０１１７】
薬剤分配容器６１２は、たとえば前方壁６１８および６２８および側壁６２０、６３０によって規定された角部において、ポケット６１４、６２４の両側上に配置された２つのスライド６５４などのような、スライド６５４を含むロッキング機構６５０を含む。各スライド６５４はたとえばポケット６２４を係合するように構成されたフランジ６５６などのような雄の係合部分を含む。ポケット６２４は、スロット６５８を規定する外側表面６４２を含む。スロット６５８は、側壁６２０、６３０から互いに向かって前方壁６１８および６２８に沿ってある距離を延在する。スロット６５８はフランジ６５６の直動を容易にするように構成され、スライド６５４は、図３３において矢印Ａによって示される方向に直動されて、薬剤分配容器６１２を開いているまたはロックされない構成に移動させ、スライド６５４は、図３２において矢印Ｂによって示される方向において、たとえば不正開封防止性のある構成などのような閉じられたまたはロックされた構成に直動される。
【０１１８】
いくつかの実施の形態では、ロッキング機構６５０はロックされた位置を示すよう、可聴なようにカチッと音が鳴る。いくつかの実施の形態では、ロッキング機構６５０は、薬剤分配容器６１２の使用において患者を支援する指示を設けられる。いくつかの実施の形態では、指示は図形の形式、たとえばロックを伴う矢印、または「スライドしてロック解除」などのような文言などにおいて呈示されてもよい。いくつかの実施の形態では、指示はロッキング機構６５０上に印刷されてもよい。代替的に、いくつかの実施の形態では、指示はロッキング機構６５０に近接して側壁６１８上に印刷されてもよい。
【０１１９】
図３４に示されるように、薬剤分配容器６１２は、たとえば少なくとも１つの投薬の服用物などのような、１つ以上の投薬を収納および／または含む１つ以上の単位服用物ページ６６０を含む。投薬の服用物は複数個のレセプタクル６６２において包囲され封止される。いくつかの実施の形態では、薬剤分配容器６１２は複数個の単位服用物ページ６６０を含む。１つの実施の形態では、図３４に示されるように、複数個の単位服用物ページ６６０が３つの部分からなる構成に配置される。いくつかの実施の形態では、各単位服用物ページ６６０は異なる投薬を封じて、患者の服用計画の一部である各投薬が別々の単位服用物ページ６６０上で編成されるようにする。いくつかの実施の形態では、単位服用物ページ６６０は、患者の投薬の毎日の服用量が単位服用物ページ６６０内に保持されることを示すレセプタクル６６２を含む。いくつかの実施の形態では、単位服用物ページ６６０は印６６４を含み、それは、１つ以上のレセプタクル６６２に近接した所定の領域で配置され、およびそれから表示され、レセプタクル６６２内に封じられた投薬に関する情報を示す。
【０１２０】
いくつかの実施の形態では、図３６〜図３８において示されるように、薬剤分配容器６１２はたとえば整理部７００などのようなレセプタクルとの配置のために構成された複数個の薬剤分配容器６１２を含む。整理部７００はセクション７０４に分割される。セクション７０４は、仕切７１０によって分離された区画７０８および区画７０６を含む。各区画７０６は壁７１２および開口７１４を含む。いくつかの実施の形態では、各区画７０６は等しくサイズ決めおよび構成される。いくつかの実施の形態では、区画７０８は頂部から底部への構成において少なくとも２つの薬剤分配容器６１２を収納するようより大きく、たとえば薬剤分配容器６１２などのような薬剤分配容器の効率的な保管を容易にする。いくつかの実施の形態では、整理部７００は、線形の向きにおける薬剤分配容器６１２の配置のために構成される。いくつかの実施の形態では、整理部７００は、千鳥状の、オフセットされた、行または列の向きにおける薬剤分配容器６１２の配置のために構成される。
【０１２１】
１つの実施の形態において、整理部７００は、たとえば背部７２２などのような接続部で整理部７００に取付けられたフォルダフラップ７２０を含む。背部７２２は、フラップ７２０が背部７２２に対して回動可能なように、配置される。ここにおいて記載されるものに類似して、フラップ７２０は、整理部７００に対して、たとえば投薬アクセス可能な構成などのような開いたまたはロックされない構成と、たとえば不正開封防止構成などのような閉じられたまたはロックされた構成との間で回動可能である。
【０１２２】
１つの実施の形態において、図３９〜図４１に示されるように、ここにおいて記載される薬剤分配システム１０のシステムおよび使用方法に類似する薬剤分配システム１０は、投薬パッケージング８１２を含む。投薬パッケージング８１２は底部部分８１４、対向して位置決めした側壁８１６の対、前方壁８１８、および後方壁８２０を含む。１つの実施の形態では、投薬パッケージング８１２は、部分８１４が壁８１６、８１８、８２０の折畳み可能な部分から形成される、折畳み可能な箱である。壁８１６は、第１の距離によって互いに離間され、壁８１８、８２０は、第２の距離によって互いに離間される。１つの実施の形態では、壁８１６および８１８が矩形の断面構成を有するように、第１の距離は第２の距離よりも大きい。他の実施の形態では、壁８１６および８１８が正方形の断面構成を有するように、第１の距離と第２の距離とは等しい。部分８１４および壁８１６、８１８、８２０はキャビティ８２２を規定する。キャビティ８２２はここにおいて論じられるように、図４１において示されるように、投薬容器８４０において収納された薬剤を受けるようサイズ決めされる。１つの実施の形態では、キャビティ８２２は、容器８４０に対するベースを与えるためにステップ状のプロファイル（図示せず）を有するインサートを受ける。インサートは連続する容器８４０のために増大する高さのベースを与えて、図３９〜図４１において示されるように、複数の容器８４０がユーザに見えるようにする。
【０１２３】
壁８２０は、キャビティ８２２において保持された容器８４０に対する患者の視認性を容易にするよう、壁８１８よりも高い。壁８１６が傾斜したプロファイルを有するように、壁８１６は壁８２０と壁８１８との間で延在する。１つの実施の形態では、壁８１６は、キャビティ８２２において保持された容器８４０を区別するために印８２４を含む。１つの実施の形態では、印８２４は、対応する容器８４０を識別するために文字を含む。印８２４は壁８１６上にスクリーン印刷される。いくつかの実施の形態では、印８２４は手書きで書込まれてもよい。
【０１２４】
１つの実施の形態では、投薬パッケージング８１２はたとえばストラップ８２６などのような、保持部材を含む。ストラップ８２６は壁８２０から延在し、キャビティ８２２において容器８４０を保持するように構成される。ストラップ８２６は、ここにおいて論じられるように、壁８１８のスリット８３０に嵌合するようサイズ決めされたタブ８２８を含む。１つの実施の形態では、ストラップ８２６はエラストマー材料または織物から形成され、その本体に沿って可撓性がある。１つの実施の形態では、ストラップ８２６はたとえば厚紙などのような、剛性材料から形成され、部分的に可撓性がある。たとえば、ストラップ８２６は、ある部分で可撓性を可能にするために曲げ部８２７を含んでもよい。いくつかの実施の形態では、キャビティ８２２内に保持された容器８４０に一致するべき形状などのような予め規定された形状を形成するために、曲げ部８２７はストラップ８２６に沿って離間される。
【０１２５】
いくつかの実施の形態では、ストラップ８２６はロックされていない構成とロックされた構成との間において可動である。ロックされていない構成では、ストラップ８２６は投薬パッケージング８１２と係合されず、容器８４０が患者にとって容易にアクセス可能なようにされる。ロックされた構成では、容器８４０をキャビティ８２２において保持するために、タブ８２８がスリット８３０内に挿入される。ロックされた構成に移動するときに、タブ８２８がスリット８３０と整列されるまで、ストラップ８２６は壁８１８に向かって回転される。いくつかの実施の形態では、タブ８２８は、スリット８３０の長さよりも大きい長さを含む。投薬パッケージング８１２がロックされていない構成とロックされた構成との間で移動されると、タブ８２８のスリット８３０との係合は、タブ８２８を曲げるおよび／または撓ませてスリット８３０内に嵌合する。
【０１２６】
１つの実施の形態では、ストラップ８２６はロックされていない構成において投薬パッケージング８１２に対する機械的な支持を与えるように構成される。１つの実施の形態において、図４１において示されるように、ストラップ８２６は壁８２０に近接して曲げ部８２７に沿って折畳まれて、ストラップ８２６の支持部分８３２を規定する。支持部分８３２が表面頂部で部分８１４に近接して平坦になるように、曲げ部８２７は離間される支持部分８３２は、投薬パッケージング８１２のためにより広いベースを与えて、機械的安定度を増大させ、投薬パッケージング８１２が倒れるのを防止する。
【０１２７】
１つの実施の形態では、薬剤分配システム１０は、投薬を受けるために内部空間を有する少なくとも１つの投薬容器８４０を含む。容器８４０は閉じた構成と投薬アクセス可能な構成との間において可動である。容器８４０は、投薬パッケージング８１２での容器８４０の効率的な保管を容易にするために積層可能な構成を含む。いくつかの実施の形態では、容器８４０は線形および／または軸方向の向きにおける投薬の配置のために構成される。いくつかの実施の形態では、容器８４０は、千鳥状の、オフセットされた、行または列の向きにおける投薬の配置のために構成される。いくつかの実施の形態では、容器８４０は、内部空間内に封じられた投薬に関する情報を表示する印を含む。
【０１２８】
投薬パッケージング８１２は、ユーザ／患者が退院で投薬パッケージング８１２を移送および／または担持するように、携帯用である。ストラップ８２６は、図３９および図４０に示されるようにロックされた構成から図４１に示されるようにロックされていない構成に移動される。タブ８２８は曲げられるおよび／または撓められて、前方壁８１８上においてスリット８３０を係合を解除する。ストラップ８２６は後方壁８２０の背後に回転させられ、折り目８２７に沿って折畳まれて、支持部分８３２が表面頂部で投薬パッケージング８１２の底部部分８１４に近接して平坦になるようする。ここにおいて記載されるように、容器８４０および／または情報インサートを含んでもよいキャビティ８２２の内容物は、図４１に示されるように、ユーザ／患者にアクセス可能である。ユーザ／患者は、薬剤分配システム１０の構成要素を、たとえば容器８４０からの服用量単位の投与のために容器８４０上に印刷された印を介する指示に従って用いて、心筋梗塞のための治療との関連においてユーザ／患者の投薬計画の遵守を容易する。ストラップ８２６は、ロックされた構成に戻るよう回転されて、投薬パッケージング８１２は保管および後の使用のために図３９に示されるように幼児防止用のロックされた構成において配置可能である。
【０１２９】
１つの実施の形態において、図４２および図４３に示されるように、ここにおいて記載される薬剤分配システム１０のシステムおよび使用方法に類似する薬剤分配システム１０は、たとえば投薬パッケージング９１２などのような薬剤収納装置を含む。投薬パッケージング９１２はベース部９１４および柱９１６を含む。１つの実施の形態では、図４２において示されるように、ベース部９１４は矩形形状を規定し、柱９１６はベース部９１４の各角部に位置決めされる。Ｖ字形の断面を形成するために、柱９１６は、ベース部９１４の各角部から、隣接する辺に沿って延在する。柱９１６およびベース部９１４はキャビティ９２２を規定する。キャビティ９２２は、ここにおいて記載される投薬容器８４０に類似して、投薬容器９４０において収納される薬剤を受けるようサイズ決めされる。
【０１３０】
１つの実施の形態では、ベース部９１４は平坦な表面９１８を含む。表面９１８は柱９１６に近接して位置決めされ、容器９４０の積層とともに配置されるべき底面を形成する。ベース部９１４は、表面９１８で配置された容器９４０下にユーザが指を嵌めることを可能にするために凹部を含んで、キャビティ９２２から１つ以上の容器９４０を除去することを可能にする。１つの実施の形態において、図４２において示されるように、パッケージング９１２はベース部９１４の対向する側の間において延在する２つの対の凹部９２０を含む。他の実施の形態では、凹部９２０はさまざまに構成されてもよい。たとえば、１つの実施の形態では、投薬パッケージング９１２は、単一の凹部９２０または一対の対向して位置決めした凹部９２０のみを含んでもよい。
【０１３１】
１つの実施の形態では、薬剤分配システム１０は少なくとも１つの投薬容器９４０を含む。ここにおいて記載されるように、容器９４０は、投薬を受けるよう、内部空間を有する。容器９４０は、ここにおいて記載されるものに類似して、閉じた構成と投薬アクセス可能な構成との間において可動である。容器９４０は、投薬パッケージング９１２での容器９４０の効率的な保管を容易にするために積層可能な構成を含む。いくつかの実施の形態では、容器９４０は線形および／または軸方向の向きにおける投薬の配置のために構成される。いくつかの実施の形態では、容器９４０は、千鳥状の、オフセットされた、行または列の向きにおける投薬の配置のために構成される。いくつかの実施の形態では、容器９４０は、内部空間内に封じられた投薬に関する情報を表示する印を含む。
【０１３２】
１つの実施の形態において、図４４〜図４６に示されるように、ここにおいて記載される薬剤分配システム１０のシステムおよび使用方法に類似する薬剤分配システム１０は、たとえば投薬パッケージング１０１２などのような薬剤収納装置を含む。投薬パッケージング１０１２はベース部１０１４および仕切１０１６を含む。１つの実施の形態では、図４４において示されるように、ベース部１０１４は、矩形形状を規定し、部分１０１４から延在する複数個の仕切１０１６を含む。部分１０１４は、ここにおいて記載される投薬容器に類似して、１つ以上の投薬容器１０４０とともに配置される表面１０１８を含む。近接する仕切１０１６は、キャビティ１０２２を規定するよう互いに平行に延在する。キャビティ１０２２は、ここにおいて論じられるように、投薬容器１０４０において収納される薬剤を受けるようサイズ決めされる。
【０１３３】
１つの実施の形態では、薬剤分配システム１０は少なくとも１つの投薬容器１０４０を含む。容器１０４０は、ここにおいて記載されるものに類似して、投薬を受けるよう内部空間を有する。容器１０４０は、ここにおいて記載されるものに類似して、閉じた構成と投薬アクセス可能な構成との間において可動である。いくつかの実施の形態では、容器１０４０は線形および／または軸方向の向きにおける投薬の配置のために構成される。いくつかの実施の形態では、容器１０４０は、千鳥状の、オフセットされた、行または列の向きにおける投薬の配置のために構成される。いくつかの実施の形態では、容器１０４０は、内部空間内に封じられた投薬に関する情報を表示する印を含む。
【０１３４】
１つの実施の形態において、図４７および図４８に示されるように、ここにおいて記載される薬剤分配システム１０のシステムおよび使用方法に類似する薬剤分配システム１０は、ここにおいて記載される投薬パッケージングに類似して、たとえば投薬パッケージング１１１２などのような薬剤収納装置を含む。投薬パッケージング１１１２は、キャビティ１１２２を規定するベース部１１１４および柱１１１６を含む。キャビティ１１２２は、ここにおいて記載される投薬容器に類似して、投薬容器１１４０において収納される薬剤を受けるようサイズ決めされる。
【０１３５】
１つの実施の形態において、図４９に示されるように、ここにおいて記載される薬剤分配システム１０のシステムおよび使用方法に類似する薬剤分配システム１０は、ここにおいて記載される投薬パッケージングに類似して、たとえば投薬パッケージング１２１２などのような薬剤収納装置を含む。投薬パッケージング１２１２は、キャビティ１２２２を規定するベース部１２１４および仕切１２１６を含む。キャビティ１２２２は、ここにおいて記載される投薬容器に類似して、投薬容器１２４０において収納される投薬を受けるようサイズ決めされる。
【０１３６】
１つの実施の形態において、図５０〜図５２に示されるように、ここにおいて記載される薬剤分配システム１０のシステムおよび使用方法に類似する薬剤分配システム１０は、ここにおいて記載される投薬パッケージングに類似して、たとえば投薬パッケージング１３１２などのような薬剤収納装置を含む。投薬パッケージング１３１２は、ここにおいて記載される投薬容器に類似して、投薬容器１３４０において収納される薬剤を受ける。投薬パッケージング１３１２は、ここにおいて記載されるストラップに類似して、ストラップ１３２６を含む。
【０１３７】
さまざまな修正がここにおいて開示された実施の形態になされ得ることが理解される。したがって、上記の記載は、限定的ではなく、さまざまな実施の形態の単に例示として解釈されるべきである。当業者は、ここに添付された請求項の範囲および精神内で他の修正を構想する。
【図１】
2017527362.tif 000003
【図２】
2017527362.tif 000004
【図３】
2017527362.tif 000005
【図４】
2017527362.tif 000006
【図５】
2017527362.tif 000007
【図６】
2017527362.tif 000008
【図７】
2017527362.tif 000009
【図８】
2017527362.tif 000010
【図９】
2017527362.tif 000011
【図１０】
2017527362.tif 000012
【図１１】
2017527362.tif 000013
【図１２】
2017527362.tif 000014
【図１３】
2017527362.tif 000015
【図１４】
2017527362.tif 000016
【図１５】
2017527362.tif 000017
【図１６】
2017527362.tif 000018
【図１７】
2017527362.tif 000019
【図１８】
2017527362.tif 000020
【図１９】
2017527362.tif 000021
【図２０】
2017527362.tif 000022
【図２１】
2017527362.tif 000023
【図２２】
2017527362.tif 000024
【図２３】
2017527362.tif 000025
【図２４】
2017527362.tif 000026
【図２５】
2017527362.tif 000027
【図２６】
2017527362.tif 000028
【図２７】
2017527362.tif 000029
【図２８】
2017527362.tif 000030
【図２９】
2017527362.tif 000031
【図３０】
2017527362.tif 000032
【図３１】
2017527362.tif 000033
【図３２】
2017527362.tif 000034
【図３３】
2017527362.tif 000035
【図３４】
2017527362.tif 000036
【図３５】
2017527362.tif 000037
【図３６】
2017527362.tif 000038
【図３７】
2017527362.tif 000039
【図３８】
2017527362.tif 000040
【図３９】
2017527362.tif 000041
【図４０】
2017527362.tif 000042
【図４１】
2017527362.tif 000043
【図４２】
2017527362.tif 000044
【図４３】
2017527362.tif 000045
【図４４】
2017527362.tif 000046
【図４５】
2017527362.tif 000047
【図４６】
2017527362.tif 000048
【図４７】
2017527362.tif 000049
【図４８】
2017527362.tif 000050
【図４９】
2017527362.tif 000051
【図５０】
2017527362.tif 000052
【図５１】
2017527362.tif 000053
【図５２】
2017527362.tif 000054
【国際調査報告】
2017527362.tif 000055